(57)【要約】【課題】利用し得る各種の移動手段または移動手段の組み合わせ毎の推奨経路を探索し、それらの推奨経路を比較対照できるように提示する。【解決手段】ナビゲーションシステム１０は、予め設定された所定の移動手段および予め設定された所定の異なる複数の移動手段の組み合わせ毎に、前記出発地から目的地までの経路を探索する終電探索モードを有し、終電探索モードが選択された場合、経路探索手段３３は、所定の移動手段および所定の異なる複数の移動手段の組み合わせ毎に、始発移動手段を含む経路の出発時刻以前に出発地を出発して目的地に到達する経路のうち、出発地を出発する時刻が最も遅い最遅経路を探索し、設定されたソート順に従って、所定の移動手段および所定の異なる複数の移動手段の組み合わせ毎の最遅経路をソートし、各最遅経路の出発時刻、所要時間、所要料金等とともに案内する。【選択図】図２
2010210561.tif 000002
【特許請求の範囲】
【請求項１】
設定した出発地から目的地までの推奨経路を探索する経路探索手段を備え、前記推奨経路と前記出発地を出発すべき出発時刻を案内するナビゲーションシステムにおいて、
前記ナビゲーションシステムは、予め設定された所定の移動手段および予め設定された所定の異なる複数の移動手段の組み合わせ毎に、最も遅い時刻に前記出発地を出発して前記目的地に到達できる最遅経路を探索する最遅経路探索モードを有し、前記最遅経路探索モードが選択された場合、前記経路探索手段は、前記所定の移動手段および所定の異なる複数の移動手段の組み合わせ毎に、出発地を出発する時刻が最も遅い最遅経路を探索し、設定されたソート順に従って、前記所定の移動手段および所定の異なる複数の移動手段の組み合わせ毎の最遅経路をソートし、表示手段に表示して案内することを特徴とするナビゲーションシステム。
【請求項２】
前記所定の移動手段および所定の異なる複数の移動手段の組み合わせ毎のそれぞれの最遅経路における出発地を出発すべき出発時刻と、所要時間と、所要料金のうちの何れか１つを前記ソート順として設定するように構成したことを特徴とする請求項１に記載のナビゲーションシステム。
【請求項３】
最遅経路を案内する際、前記所定の移動手段および所定の異なる複数の移動手段の組み合わせ毎のそれぞれの最遅経路における出発地を出発すべき出発時刻と、所要時間と、所要料金のうちの何れか１つまたは複数とともに前記最遅経路を案内することを特徴とする請求項１に記載のナビゲーションシステム。
【請求項４】
前記最遅経路の探索においては、前記移動手段のうち、交通機関における始発の移動手段を用いた経路を最遅経路に加えて探索し、前記最遅経路とともに案内することを特徴とする請求項１ないし請求項３の何れか１項に記載のナビゲーションシステム
【請求項５】
表示手段に前記各最遅経路を表示して案内する際、各最遅経路のうち、他の最遅経路における出発地を出発すべき出発時刻よりも出発時刻が早く、且つ、当該他の最遅経路よりも所要料金が高い割高最遅経路がある場合、該割高最遅経路を表示しないことを特徴とする請求項１ないし請求項４の何れか１項に記載のナビゲーションシステム。
【請求項６】
前記割高最遅経路が存在した場合、前記経路探索手段は、前記割高最遅経路における移動手段または移動手段の組み合わせについて、前記他の最遅経路よりも所要料金が小さく、且つ、最も出発地を出発すべき出発時刻が遅い準最遅経路を探索し、割高最遅経路に代えて準最遅経路を案内することを特徴とする請求項５に記載のナビゲーションシステム。
【請求項７】
前記表示手段に表示された複数の最遅経路から所望の最遅経路を選択する手段と、通知設定手段と、を備え、前記選択された所望の最遅経路における出発地を出発すべき出発時刻に対して前記通知設定手段により設定された所定の時間前に、出発すべき旨の報知を行うことを特徴とする請求項１ないし請求項４の何れか１項に記載のナビゲーションシステム。
【請求項８】
前記最遅経路の案内は、表示手段に各最遅経路の所要時間、所要料金の何れか一方または両方をグラフ化して表示して行うことを特徴とする請求項１ないし請求項４の何れか１項に記載のナビゲーションシステム。
【請求項９】
前記最遅経路の案内は、表示手段の表示領域を複数の表示セルに区分し、各表示セルに各々の最遅経路所要時間、所要料金の何れか一方または両方をグラフ化して表示するリスト表示形式により行うことを特徴とする請求項１ないし請求項４の何れか１項に記載のナビゲーションシステム。
【請求項１０】
最遅経路を表示して案内する際、前記各最遅経路におけるそれぞれの出発時刻の区切りを示す時刻情報を表示したタイムラインを表示し、前記タイムラインに表示した出発時刻の区切りにあわせて前記各最遅経路を表示し、タイムラインに表示したそれぞれの時間帯において利用可能な最遅経路を識別可能としたことを特徴とする請求項１ないし請求項９の何れか１項に記載のナビゲーションシステム。
【請求項１１】
前記表示手段にリスト表示され、または、グラフ化して表示された複数の最遅経路から所望の最遅経路が選択されると、該選択された最遅経路の詳細情報を前記表示手段に表示することを特徴とする請求項１ないし請求項１０の何れか１項に記載のナビゲーションシステム。
【請求項１２】
最遅経路の探索にあたって、経路探索手段は前記所定の移動手段または所定の移動手段の組み合わせにおいて最遅経路と、最遅経路以外の所定数の候補経路を探索し、前記表示手段にリスト表示され、または、グラフ化して表示された複数の最遅経路から所望の最遅経路が選択されると、該選択された最遅経路における移動手段または移動手段の組み合わせにおいて前記経路探索手段により探索された最遅経路と候補経路とを、設定されたソート順に従ってソートし、最遅経路および候補経路のそれぞれにおける出発地を出発すべき出発時刻と、所要時間と、所要料金のうちの何れか１つまたは複数とともに案内することを特徴とする請求項１ないし請求項１１の何れか１項に記載のナビゲーションシステム。
【請求項１３】
前記最遅経路と候補経路における出発地を出発すべき出発時刻と、所要時間と、所要料金のうちの何れか１つを前記ソート順として設定するように構成したことを特徴とする請求項１２に記載のナビゲーションシステム。
【請求項１４】
前記ナビゲーションシステムは、定期券を利用する経路区間の情報を記憶する記憶部を備え、前記最遅経路探索モードが選択され、且つ、定期券を考慮した探索が設定された場合、前記経路探索手段により探索された各最遅経路における所要料金を、前記定期券を利用する経路区間の情報に基づいて算出することを特徴とする請求項１ないし請求項４の何れか１項に記載のナビゲーションシステム。
【請求項１５】
前記ナビゲーションシステムは、利用者と一緒に移動する人数を記憶する記憶部を備え、前記最遅経路探索モードが選択され、且つ、利用者と一緒に移動する人数を考慮した探索が設定された場合、前記利用者と一緒に移動する人数に基づいて、前記経路探索手段により探索された各最遅経路における所要料金から１人あたりの金額を算出し、前記１人あたりの金額または前記１人あたりの金額と前記所要料金とを案内することを特徴とする請求項１ないし請求項４の何れか１項に記載のナビゲーションシステム。
【請求項１６】
前記ナビゲーションシステムは、最遅経路における所要料金の上限値を記憶する記憶部を備え、前記経路探索手段により探索された各最遅経路における所要料金が、前記記憶部に記憶された上限値より低い所要料金の最遅経路であって、出発地を出発すべき出発時刻の最も遅い最遅経路の出発時刻の所定時間前に、出発すべき旨の報知を行うことを特徴とする請求項１ないし請求項４の何れか１項に記載のナビゲーションシステム。
【請求項１７】
前記ナビゲーションシステムは、最遅経路における所要料金の上限値を記憶する記憶部を備え、前記経路探索手段により探索された各最遅経路における所要料金が、前記記憶部に記憶された上限値より高い所要料金の最遅経路の案内を表示しないか、または、前記上限値より低い最遅経路他の最遅経路の案内と異なる表示態様で表示することを特徴とする請求項１ないし請求項４の何れか１項に記載のナビゲーションシステム。
【請求項１８】
前記上限値を記憶する記憶部は、携帯端末装置に設けられた電子マネーをチャージする電子マネーチャージ部であって、該電子マネーチャージ部にチャージされている金額を前記上限値とすることを特徴とする請求項１７に記載のナビゲーションシステム。
【請求項１９】
前記最遅経路を表示手段に表示して案内する際、所定の最遅経路または利用者が選択した特定の最遅経路における所要時間または所要料金を基準として、他の各最遅経路にける所要時間または所要料金を、前記基準の所要時間または所要料金との差分を算出して表示することを特徴とする請求項１ないし請求項４の何れか１項に記載のナビゲーションシステム。
【請求項２０】
前記ナビゲーションシステムは、所定の地点を中心とした所定の範囲内に所在する滞在施設を検索する周辺検索機能を有し、前記最遅経路を探索するとともに、出発地を中心とした所定の範囲内に所在する滞在施設および滞在料金を検索し、前記所定の移動手段および所定の異なる複数の移動手段の組み合わせ毎に各最遅経路を表示して案内する際、前記滞在施設を示すアイコンとともに滞在料金を表示することを特徴とする請求項１ないし請求項４の何れか１項に記載のナビゲーションシステム。
【請求項２１】
ネットワークを介して接続され、出発地と目的地とを含む経路探索条件を送信する端末装置に、前記出発地から目的地までの推奨経路を探索して、前記推奨経路と前記出発地を出発すべき出発時刻を案内する経路探索サーバにおいて、
前記経路探索サーバは、予め設定された所定の移動手段および予め設定された所定の異なる複数の移動手段の組み合わせ毎に、最も遅い時刻に前記出発地を出発して前記目的地に到達できる最遅経路を探索する最遅経路探索モードを有し、前記端末装置において最遅経路探索モードが選択された場合、前記経路探索手段は、前記所定の移動手段および所定の異なる複数の移動手段の組み合わせ毎に、出発地を出発する時刻が最も遅い最遅経路を探索し、前記端末装置において設定されたソート順に従って、前記所定の移動手段および所定の異なる複数の移動手段の組み合わせ毎の最遅経路をソートして前記端末装置の表示手段に表示して案内することを特徴とする経路探索サーバ。
【請求項２２】
前記端末装置において設定されたソート順は、前記所定の移動手段および所定の異なる複数の移動手段の組み合わせ毎のそれぞれの最遅経路における出発地を出発すべき出発時刻と、所要時間と、所要料金のうちの何れか１つであり、前記経路探索サーバは、前記端末装置において設定されたソート順に従って、前記所定の移動手段および所定の異なる複数の移動手段の組み合わせ毎の最遅経路をソートして前記端末装置に案内することを特徴とする請求項２１に記載の経路探索サーバ。
【請求項２３】
最遅経路を案内する際、前記所定の移動手段および所定の異なる複数の移動手段の組み合わせ毎のそれぞれの最遅経路における出発地を出発すべき出発時刻と、所要時間と、所要料金のうちの何れか１つまたは複数とともに前記最遅経路を案内することを特徴とする請求項２１に記載の経路探索サーバ。
【請求項２４】
前記最遅経路の探索においては、前記移動手段のうち、交通機関における始発の移動手段を用いた経路を最遅経路に加えて探索し、前記最遅経路とともに案内することを特徴とする請求項２１ないし請求項２３の何れか１項に記載の経路探索サーバ。
【請求項２５】
前記各最遅経路を案内する際、各最遅経路のうち、他の最遅経路における出発地を出発すべき出発時刻よりも出発時刻が早く、且つ、当該他の最遅経路よりも所要料金が高い割高最遅経路がある場合、前記経路探索手段は、前記割高最遅経路における移動手段または移動手段の組み合わせについて、前記他の最遅経路よりも所要料金が小さく、且つ、最も出発地を出発すべき出発時刻が遅い準最遅経路を探索し、割高最遅経路に代えて準最遅経路を案内することを特徴とする請求項２１ないし請求項２４の何れか１項に記載の経路探索サーバ。
【請求項２６】
前記端末装置は、表示手段に表示された複数の最遅経路から所望の最遅経路を選択する手段と、通知設定手段と、を備え、前記端末装置において、前記選択された所望の最遅経路における出発地を出発すべき出発時刻に対して前記通知設定手段により設定された所定の時間前に、出発すべき旨の報知を行うことを特徴とする請求項２１ないし請求項２４の何れか１項に記載の経路探索サーバ。
【請求項２７】
最遅経路の探索にあたって、経路探索手段は前記所定の移動手段または所定の移動手段の組み合わせにおいて最遅経路と、最遅経路以外の所定数の候補経路を探索し、前記端末装置により所望の最遅経路が選択されると、該選択された最遅経路における移動手段または移動手段の組み合わせにおいて前記経路探索手段により探索された最遅経路と候補経路とを、設定されたソート順に従ってソートし、最遅経路および候補経路のそれぞれにおける出発地を出発すべき出発時刻と、所要時間と、所要料金のうちの何れか１つまたは複数とともに案内することを特徴とする請求項２１ないし請求項２６の何れか１項に記載の経路探索サーバ。
【請求項２８】
前記端末装置は、定期券を利用する経路区間の情報を記憶する記憶部を備え、該端末装置において、前記最遅経路探索モードが選択され、且つ、定期券を考慮した探索が設定された場合、前記経路探索サーバは、前記経路探索手段により探索された各最遅経路における所要料金を、前記定期券を利用する経路区間の情報に基づいて算出することを特徴とする請求項２１ないし請求項２４の何れか１項に記載の経路探索サーバ。
【請求項２９】
前記端末装置は、利用者と一緒に移動する人数を記憶する記憶部を備え、該端末装置において、前記最遅経路探索モードが選択され、且つ、利用者と一緒に移動する人数が記憶された場合、前記経路探索サーバは、前記利用者と一緒に移動する人数に基づいて、前記経路探索手段により探索された各最遅経路における所要料金から１人あたりの金額を算出し、前記１人あたりの金額または前記１人あたりの金額と前記所要料金とを案内することを特徴とする請求項２１ないし請求項２４の何れか１項に記載の経路探索サーバ。
【請求項３０】
前記端末装置は、最遅経路における所要料金の上限値を記憶する記憶部を備え、該端末装置において前記上限値が設定された場合、前記経路探索サーバは、前記経路探索手段により探索された各最遅経路における所要料金が、前記端末装置の記憶部に記憶された上限値より低い所要料金の最遅経路であって、出発地を出発すべき出発時刻の最も遅い最遅経路の出発時刻の所定時間前に、出発すべき旨の報知を行うことを特徴とする請求項２１ないし請求項２４の何れか１項に記載の経路探索サーバ。
【請求項３１】
前記最遅経路を前記端末装置に案内する際、所定の最遅経路または利用者が選択した特定の最遅経路における所要時間または所要料金を基準として、他の各最遅経路にける所要時間または所要料金を、前記基準の所要時間または所要料金との差分を算出し、前記最遅経路の情報とともに前記端末装置に送信することを特徴とする請求項２１ないし請求項２４の何れか１項に記載のナビゲーションシステム。
【請求項３２】
前記経路探索サーバは、所定の地点を中心とした所定の範囲内に所在する滞在施設を検索する周辺検索機能を有し、前記最遅経路を探索するとともに、出発地を中心とした所定の範囲内に所在する滞在施設および滞在料金を検索し、前記所定の移動手段および所定の異なる複数の移動手段の組み合わせ毎に各最遅経路を案内する際、前記滞在施設の滞在料金を案内することを特徴とする請求項２１ないし請求項２４の何れか１項に記載の経路探索サーバ。
【請求項３３】
設定した出発地から目的地までの推奨経路を探索する経路探索手段を備え、前記推奨経路と前記出発地を出発すべき出発時刻を案内する経路探索サーバにネットワークを介して接続される端末装置であって、前記経路探索サーバに出発地と目的地とを含む経路探索条件を送信する端末装置において、
前記経路探索サーバは、予め設定された所定の移動手段および予め設定された所定の異なる複数の移動手段の組み合わせ毎に、最も遅い時刻に前記出発地を出発して前記目的地に到達できる最遅経路を探索する最遅経路探索モードを有し、前記端末装置において最遅経路探索モードが選択された場合、前記経路探索手段は、前記所定の移動手段および所定の異なる複数の移動手段の組み合わせ毎に、出発地を出発する時刻が最も遅い最遅経路を探索して前記端末装置に該最遅経路の情報を送信し、
前記端末装置は、該端末装置において設定されたソート順に従って、前記所定の移動手段および所定の異なる複数の移動手段の組み合わせ毎の最遅経路をソートし、表示手段に表示して案内することを特徴とする端末装置。
【請求項３４】
前記端末装置において設定されたソート順は、前記所定の移動手段および所定の異なる複数の移動手段の組み合わせ毎のそれぞれの最遅経路における出発地を出発すべき出発時刻と、所要時間と、所要料金のうちの何れか１つであることを特徴とする請求項３３に記載の端末装置。
【請求項３５】
最遅経路を表示して案内する際、前記所定の移動手段および所定の異なる複数の移動手段の組み合わせ毎のそれぞれの最遅経路における出発地を出発すべき出発時刻と、所要時間と、所要料金のうちの何れか１つまたは複数とともに前記最遅経路を表示することを特徴とする請求項３３に記載の端末装置。
【請求項３６】
前記経路探索サーバは、最遅経路の探索においては、前記移動手段のうち、交通機関における始発の移動手段を用いた経路を最遅経路に加えて探索し、前記最遅経路とともに前記端末に送信し、前記端末装置は前記経路探索サーバから送信された交通機関における始発の移動手段を用いた経路を最遅経路に加えて前記表示手段に表示して案内することを特徴とする請求項３３ないし請求項３５の何れか１項に記載の端末装置。
【請求項３７】
前記表示手段に前記各最遅経路を表示して案内する際、各最遅経路のうち、他の最遅経路における出発地を出発すべき出発時刻よりも出発時刻が早く、且つ、当該他の最遅経路よりも所要料金が高い割高最遅経路がある場合、該割高最遅経路を表示しないことを特徴とする請求項３３ないし請求項３６の何れか１項に記載の端末装置。
【請求項３８】
前記各最遅経路を案内する際、各最遅経路のうち、他の最遅経路における出発地を出発すべき出発時刻よりも出発時刻が早く、且つ、当該他の最遅経路よりも所要料金が高い割高最遅経路がある場合、前記経路探索手段は、前記割高最遅経路における移動手段または移動手段の組み合わせについて、前記他の最遅経路よりも所要料金が小さく、且つ、最も出発地を出発すべき出発時刻が遅い準最遅経路を探索し、割高最遅経路に代えて準最遅経路の情報を前記端末装置に送信し、
前記端末装置は、最遅経路を表示して案内する際、前記割高最遅経路については、前記経路探索サーバから送信された準最遅経路を表示して案内することを特徴とする請求項３７に記載の端末装置。
【請求項３９】
前記経路探索サーバは、前記端末装置において選択された所望の最遅経路における出発地を出発すべき出発時刻に対して前記通知設定手段により設定された所定の時間前に、出発すべき旨の報知を行う経路探索サーバであって、前記端末装置は、前記表示手段に表示された複数の最遅経路から所望の最遅経路を選択する手段と、通知設定手段と、を備えたことを特徴とする請求項３３ないし請求項３６の何れか１項に記載の端末装置。
【請求項４０】
前記端末装置は、前記表示手段に各最遅経路を表示する際、各最遅経路の所要時間、所要料金の何れか一方または両方をグラフ化して表示することを特徴とする請求項３３ないし請求項３６の何れか１項に記載の端末装置。
【請求項４１】
前記最遅経路の案内は、表示手段の表示領域を複数の表示セルに区分し、各表示セルに各々の最遅経路所要時間、所要料金の何れか一方または両方をグラフ化して表示するリスト表示形式により行うことを特徴とする請求項３３ないし請求項３６の何れか１項に記載の端末装置。
【請求項４２】
最遅経路を表示して案内する際、前記各最遅経路におけるそれぞれの出発時刻の区切りを示す時刻情報を表示したタイムラインを表示し、前記タイムラインに表示した出発時刻の区切りにあわせて前記各最遅経路を表示し、タイムラインに表示したそれぞれの時間帯において利用可能な最遅経路を識別可能としたことを特徴とする請求項３３ないし請求項４１の何れか１項に記載のナビゲーションシステム。
【請求項４３】
前記表示手段にリスト表示され、または、グラフ化して表示された複数の最遅経路から所望の最遅経路が選択されると、前記経路探索サーバは、該選択された最遅経路の詳細情報を前記端末装置に送信し、前記端末装置は前記経路探索サーバから送信された最遅経路の詳細情報を前記表示手段に表示することを特徴とする請求項３３ないし請求項４２の何れか１項に記載の端末装置。
【請求項４４】
最遅経路の探索にあたって、経路探索手段は移動手段または移動手段の組み合わせにおいて最遅経路と、最遅経路以外の所定数の候補経路を探索し、前記端末装置の表示手段にリスト表示され、または、グラフ化して表示された複数の最遅経路から所望の最遅経路が選択されると、該選択された最遅経路における移動手段または移動手段の組み合わせにおいて前記経路探索手段により探索された最遅経路の情報と候補経路の情報とを、前記端末装置に送信し、前記端末装置は、該端末装置において設定されたソート順に従ってソートし、最遅経路および候補経路のそれぞれにおける出発地を出発すべき出発時刻と、所要時間と、所要料金のうちの何れか１つまたは複数とともに表示することを特徴とする請求項請求項３３ないし請求項４３の何れか１項に記載の端末装置。
【請求項４５】
前記端末装置は、定期券を利用する経路区間の情報を記憶する記憶部を備え、該端末装置において、前記最遅経路探索モードが選択され、且つ、定期券を考慮した探索が設定された場合、前記経路探索サーバは、前記経路探索手段により探索された各最遅経路における所要料金を、前記定期券を利用する経路区間の情報に基づいて算出し、前記端末装置に最適経路の情報とともに前記算出した所要料金を送信し、前記端末装置は、前記経路探索サーバから取得した所要料金を最遅経路の情報とともに案内することを特徴とする請求項３３ないし請求項３６の何れか１項に記載の端末装置。
【請求項４６】
前記端末装置は、利用者と一緒に移動する人数を記憶する記憶部を備え、該端末装置において、前記最遅経路探索モードが選択され、且つ、利用者と一緒に移動する人数を考慮した探索が設定された場合、前記経路探索サーバは、前記利用者と一緒に移動する人数に基づいて、前記経路探索手段により探索された各最遅経路における所要料金から１人あたりの金額を算出し、前記１人あたりの金額または前記１人あたりの金額と前記所要料金とを、前記最遅経路の情報とともに前記端末装置に送信し、前記端末装置は、前記経路探索サーバから取得した１人あたりの金額または前記１人あたりの金額と前記所要料金とを最遅経路の情報とともに案内することを特徴とする請求項３３ないし請求項３６の何れか１項に記載の端末装置。
【請求項４７】
前記端末装置は、最遅経路における所要料金の上限値を記憶する記憶部を備え、前記端末装置において前記上限値が設定された場合、前記経路探索サーバから取得した各最遅経路のうち、最遅経路における所要料金が、前記設定された上限値より低い所要料金の最遅経路であって、出発地を出発すべき出発時刻の最も遅い最遅経路の出発時刻の所定時間前に、出発すべき旨の報知を行うことを特徴とする請求項３３ないし請求項３６の何れか１項に記載の端末装置。
【請求項４８】
前記端末装置は、最遅経路における所要料金の上限値を記憶する記憶部を備え、前記端末装置において前記上限値が設定された場合、前記経路探索サーバから取得した各最遅経路のうち、最遅経路における所要料金が、前記設定された上限値より高い所要料金の最遅経路の案内を表示しないか、または、前記上限値より低い最遅経路他の最遅経路の案内と異なる表示態様で表示することを特徴とする請求項３３ないし請求項３６の何れか１項に記載の端末装置。
【請求項４９】
前記上限値を記憶する記憶部は、携帯端末装置に設けられた電子マネーをチャージする電子マネーチャージ部であって、該電子マネーチャージ部にチャージされている金額を前記上限値とすることを特徴とする請求項４８に記載の端末装置。
【請求項５０】
前記最遅経路を表示手段に表示して案内する際、所定のまたは利用者が選択した特定の最遅経路における所要時間または所要料金を基準として、他の各最遅経路にける所要時間または所要料金を、前記基準の所要時間または所要料金との差分を算出して表示することを特徴とする請求項３３ないし請求項３６の何れか１項に記載の端末装置。
【請求項５１】
前記経路探索サーバは、所定の地点を中心とした所定の範囲内に所在する滞在施設を検索する周辺検索機能を有し、前記最遅経路を探索するとともに、出発地を中心とした所定の範囲内に所在する滞在施設および滞在料金を検索し、前記所定の移動手段および所定の異なる複数の移動手段の組み合わせ毎に各最遅経路の情報とともに前記滞在施設および滞在料金を前記端末装置に送信し、前記端末装置は前記経路探索サーバから取得した各最遅経路を表示して案内する際、前記滞在施設を示すアイコンとともに滞在料金を表示することを特徴とする請求項３３ないし請求項３６の何れか１項に記載の端末装置。
【発明の詳細な説明】
【技術分野】
【０００１】
本発明は、現在位置から目的地まで、最も遅い時刻に現在位置を出発して前記目的地に所望の時刻に到着できる推奨経路を探索して、現在位置を出発すべき出発時刻を案内する案内情報を出力するナビゲーションシステムに関するものであり、特に、経路探索条件として「終電」を含む条件が設定された場合、徒歩経路と電車やバスなどの公共交通機関を利用した経路、更にタクシーを併用する場合の経路など、利用し得る各種の移動手段または移動手段の組み合わせ毎の推奨経路を探索し、各推奨経路を利用者において比較対照が容易なように提供するようにしたナビゲーションシステムに関するものである。
【背景技術】
【０００２】
従来から、地図データ、道路データを用いて、所望の出発地から目的地までの経路を探索して利用者を案内するナビゲーション装置、ナビゲーションシステムが知られており、このようなナビゲーション装置、ナビゲーションシステムとしては、自動車に搭載して運転者に経路を案内するカーナビゲーション装置、携帯電話をナビゲーション端末として利用して経路探索サーバに経路探索要求を送り、その結果を受信して経路案内を受ける通信型のナビゲーションシステムなどが実用化されている。
【０００３】
特に、通信型のナビゲーションシステムは、携帯電話などの携帯端末をナビゲーション端末として利用したシステムであって、歩行者用のナビゲーションシステムとしても用いられるものである。歩行者用のナビゲーションシステムとしては、交通機関を含めた経路案内機能を付加することが好ましく、徒歩経路の探索と案内に加えて、経路探索サーバに交通機関の路線や運行時刻データを蓄積し、所望の出発駅から所望の目的駅までの経路（乗車候補列車）を、案内する機能を有するナビゲーションシステムも存在する。また、徒歩経路の経路探索を伴わずに情報配信サーバから交通機関の路線や時刻表、乗車可能な列車などの情報の配信を受けて表示する交通案内システムも存在する。
【０００４】
一般的なナビゲーション装置、通信ナビゲーションシステムに使用される経路探索装置、経路探索方法は、例えば、下記の特許文献１（特開２００１−１６５６８１号公報）に開示されている。このナビゲーションシステムは、携帯ナビゲーション端末から出発地と目的地の情報を情報配信サーバに送り、情報配信サーバで道路網や交通網のデータから探索条件に合致した経路を探索して案内するように構成されている。探索条件としては、出発地から目的地までの移動手段、例えば、徒歩、自動車、鉄道と徒歩の併用などがあり、これを探索条件の１つとして経路探索する。
【０００５】
情報配信サーバは、地図データの道路（経路）をその結節点、屈曲点の位置をノードとし、各ノードを結ぶ経路をリンクとし、全てのリンクのコスト情報（距離や所要時間）をデータベースとして備えている。そして、情報配信サーバは、データベースを参照して、出発地のノードから目的地のノードに至るリンクを順次探索し、リンクのコスト情報が最小となるノード、リンクをたどって案内経路とすることによって最短の経路を携帯ナビゲーション端末に案内することができる。このような経路探索の手法としてはラベル確定法あるいはダイクストラ法と言われる手法が用いられる。上記特許文献１には、このダイクストラ法を用いた経路探索方法も開示されている。
【０００６】
交通機関を利用する経路を探索する経路探索システムは、ユーザが指定する出発日時、出発地、目的地、到着時刻等の経路探索条件に基づいて、各交通機関の運行時刻データをデータベース化した運行時刻データベースと、これに基づいて交通ネットワークをデータベース化したデータを備えている。そして、これらのデータベースを参照して、乗り継ぎ（乗り換え）を含めて出発地と目的地を結ぶ、利用可能な各交通手段（個々の電車や路線バス）を経路として順次たどり、経路探索条件に合致する案内経路（出発地駅、目的地駅、路線、列車などの交通手段）の候補を１つまたは複数提示するように構成される。経路探索条件としては更に、所要時間、乗り継ぎ回数、運賃などの条件を指定できるようにされているのが一般的である。
【０００７】
また、交通機関に関する検索、案内を行うシステムとして、携帯電話などの端末装置から交通機関の路線情報や時刻表情報を案内する情報配信サーバに接続して所望の出発駅、出発時刻、目的駅などを指定して、乗車可能な路線や列車、電車などの交通手段の情報配信を受け、端末装置に表示することができる案内システムも提供されている。一般に端末装置からこのような利用を行う場合には、ダウンロードしたい情報の存在する場所を特定するためのＵＲＬ（Uniform Resource Locator）やドメイン名などのアドレス情報を端末装置に入力して当該アドレスにより特定される情報配信サーバ（情報サイト）にアクセスして所望の情報をダウンロードする構成がとられている。
【０００８】
交通機関を利用した経路探索、経路案内をするナビゲーションシステムなどにおける経路探索用のデータは、車載用ナビゲーションシステムや歩行者用ナビゲーションシステムにおける道路ネットワークのデータと同様に交通路線の各駅をノードとし、駅間を双方向リンクとしてネットワーク化したデータの他に、各交通路線上を運行される交通手段ごとに各リンクの運行時刻、所要時間がリンクコストのデータとして加えられる。更に、運賃データが加えられ、探索した案内経路の運賃が合わせて案内されるシステムも存在する。
【０００９】
従って端末装置に配信される案内経路データには、利用者が指定した経路探索条件である出発地から目的地までの路線経路や乗車を案内するバス、電車、列車およびその時刻が含まれ、運行時刻表や駅に掲示されるいわゆる駅貼り時刻表などがそのままあるいは必要部分が画面表示できる表示データなどの形式に加工されて端末装置に配信される。端末装置では案内経路のデータや運行時刻表あるいは駅貼り時刻表を表示して経路や乗車すべき交通手段を確認することができる。
【００１０】
交通機関を利用した推奨経路を案内する場合、現在位置を出発し、目的地に所望の時間に到着するために、現在位置を何時に出発すればよいかを案内して欲しいという要求もある。このような要求の中には、例えば、勤務先などを現在位置として、現在位置を最も遅い時刻に出発して自宅（目的地）に終電で帰宅可能な推奨経路および勤務先を出発すべき時間（終電に乗車あるいは乗り継ぎするために勤務先を出発すべき時間）を案内して欲しいという、いわゆる終電探索の要求もある。
【００１１】
ある目的駅に、ある特定の時刻に到着するために現在位置を何時までに出発すればよいかを案内するナビゲーションシステムは、例えば、下記の特許文献２（特開２００３−２５４７７７号公報）に開示され、また、その場合に、終電の利用を条件とするナビゲーションシステムは、下記の特許文献３（特開２００３−５８６６３号公報）に開示されている。特許文献３に開示されたナビゲーションシステムによれば、出発地に最も遅い時刻まで滞在して、自宅などの目的地に到着できる経路と出発時刻を知ることができるようになる。
【００１２】
上記特許文献２に開示された移動情報通知システムは、ある目的駅にある時刻に到着するために現在地を出発すべき時刻の通知サービスを自動で行うようにしたシステムであり、メインサーバが、外部接続されるＧＰＳシステムを用いて得られるユーザの現在位置に基づき当該ユーザの現在位置に近い最寄り駅を調べ、かつ、外部接続される駅探索システムを用い、最寄り駅からユーザ情報データベースにあらかじめ登録済みの目的駅までの経路と、その時刻表リストを検索する。そして、検索された時刻表リストに基づき、ある目的駅にある時刻に到着するために現在地を出発すべき時刻を算出し、目的駅までの経路と出発すべき時刻とを通知希望時刻に従いユーザ端末へ自動的に通知するように構成したものである。
【００１３】
上記特許文献３に開示された乗り換え案内サービス提供システムは、終電を利用するためにユーザに現在位置を何時に出発すればよいかを案内するシステムであり、ユーザの携帯端末は、ＧＰＳ受信機等の現在位置検出手段を備えていて、得られた位置情報を用いて乗り換え案内情報の検索を行う。乗り換え案内サービスを提供するＷｅｂサーバは、その位置情報を用いて携帯端末の現在位置から出発駅までの移動時間を算出し、算出されたその移動時間を考慮して、指定された電車に乗車するためには現在位置を何時までに出発しなければならないかをユーザに提供するように構成されている。このような構成のため、ユーザは、終電等に乗り遅れたり、無駄な待ち時間を過ごしたりすること無く目的の電車に乗車できる。
【００１４】
ところで、終電の利用を条件とした場合、目的地の最寄り駅まで交通機関を利用した経路を移動すると、比較的早い時刻に出発地の最寄り駅を発車する電車が終電として探索され、出発地における滞在時間が短い推奨経路になってしまうというケースがある。目的駅の手前の駅で降車して降車駅からタクシーを利用すれば、出発地の最寄り駅を出発するより遅い電車が終電になり、出発地における滞在時間を長くすることができる。タクシーを利用するのに便利な終電探索を可能としたナビゲーションシステムは、下記の特許文献４（特開２００６−２９２４４７号公報）に開示されている。
【００１５】
この特許文献４に開示されたナビゲーションシステムは、ナビゲーション端末装置とからなり、出発地点から目的地点までの経路を、地点をノード、地点間をリンクとして交通ネットワークを表現し、ラベル確定法によりコストとして移動時間、移動距離、運賃等を用いて、最短コスト条件下で探索する経路探索サーバとから構成され、経路探索サーバは、自動車移動に乗換え可能な駅を示す属性情報を蓄積した属性情報データベースを備え、交通機関の駅のうち目的地点又は出発地点から所定条件内にある自動車移動に乗換え可能な駅を抽出し、自動車移動に乗換え可能な駅と目的地点又は出発地点との間を自動車経路として交通ネットワーク又は道路ネットワークに組込んで経路探索するようにされたものである。
【先行技術文献】
【特許文献】
【００１６】
【特許文献１】特開２００１−１６５６８１号公報（図１、図２）
【特許文献２】特開２００３−２５４７７７号公報（図１、図３）
【特許文献３】特開２００３−５８６６３号公報（図２、図３）
【特許文献４】特開２００６−２９２４４７号公報（図１、図８）
【発明の概要】
【発明が解決しようとする課題】
【００１７】
通常、ナビゲーションシステムにおいては所望の２地点間の最適経路を探索するためには、出発地や目的地などの経路探索条件を設定する。そして、一般的には経路探索においては、一度の経路探索に対して、その経路探索における条件設定下での経路探索結果のみを案内するので、ユーザにとって利便性の高いものではなかった。経路探索の結果に満足できない場合には、経路探索条件を設定しなおして再び経路探索を行う必要があった。
【００１８】
先に述べたように、終電の利用を条件とした場合、目的地の最寄り駅まで交通機関を利用した経路を移動する場合と、目的駅の手前の駅で降車して降車駅からタクシーを利用する場合とで、出発地の最寄り駅を出発しなければならない電車の時刻（終電）が異なる場合がある。上記特許文献３に開示したナビゲーションシステムによれば、徒歩と交通機関を用いた終電探索が可能であり、上記特許文献４に開示されたナビゲーションシステムによれば、徒歩と交通機関に加え、更にタクシー利用を加味した終電探索を行うことが可能である。
【００１９】
しかしながら、経路探索の結果としてえられる推奨経路の情報は、当該推奨経路を探索した際の経路探索条件に基づいて提供されるものであり、異なる経路探索条件を設定して経路探索した結果を相互比較することができないという問題がある。これら異なる条件による異なる終電経路の情報を得たい場合、ユーザは経路探索の条件設定を切り替えて探索を行う必要があり、操作が煩雑になるといった問題がある。また、経路探索条件の設定を切り替えて探索を行って個別に探索結果を得たとしても、探索結果が個別に案内されるので、複数の異なる探索結果を比較して、移動のための料金と滞在時間との費用対効果を検討するのが困難であるという問題もある。さらに、タクシー利用圏内の終電経路の時間を越えて出発地等に滞在する必要性がある場合、経路探索を行っても翌日の始発経路が案内されるのみであり、ユーザにとって利便性が低いという問題がある。
【００２０】
本願の発明者は、上記問題点を解消すべく種々検討を重ねた結果、「最も遅い時刻」に出発地を出発して目的地に到達できる経路探索の条件が設定された場合、徒歩と電車やバスなどの公共交通機関を利用した経路、更にタクシーを併用する場合の経路など、利用し得る各種の移動手段または移動手段の組み合わせ毎の推奨経路を探索し、各推奨経路を利用者において比較対照が容易なように提示するようになせば上記問題点を解消し得ることに想到して本発明を完成するに至ったものである。
【００２１】
すなわち、本発明は、上記の問題点を解消することを課題とし、「最も遅い時刻」に出発地を出発して目的地に到達できる経路探索の条件が設定された場合、徒歩と電車やバスなどの公共交通機関を利用した経路、更にタクシーを併用する場合の経路など、利用し得る各種の移動手段または移動手段の組み合わせ毎の推奨経路を探索し、それらの推奨経路を比較対照できるように提示することができるナビゲーションシステムを提供することを目的とするものである。
【課題を解決するための手段】
【００２２】
本願の請求項１にかかる発明は、
設定した出発地から目的地までの推奨経路を探索する経路探索手段を備え、前記推奨経路と前記出発地を出発すべき出発時刻を案内するナビゲーションシステムにおいて、
前記ナビゲーションシステムは、予め設定された所定の移動手段および予め設定された所定の異なる複数の移動手段の組み合わせ毎に、最も遅い時刻に前記出発地を出発して前記目的地に到達できる最遅経路を探索する最遅経路探索モードを有し、前記最遅経路探索モードが選択された場合、前記経路探索手段は、前記所定の移動手段および所定の異なる複数の移動手段の組み合わせ毎に、出発地を出発する時刻が最も遅い最遅経路を探索し、設定されたソート順に従って、前記所定の移動手段および所定の異なる複数の移動手段の組み合わせ毎の最遅経路をソートし、表示手段に表示して案内することを特徴とする。
【００２３】
本願の請求項２にかかる発明は、請求項１にかかる発明において、前記所定の移動手段および所定の異なる複数の移動手段の組み合わせ毎のそれぞれの最遅経路における出発地を出発すべき出発時刻と、所要時間と、所要料金のうちの何れか１つを前記ソート順として設定するように構成したことを特徴とする。
【００２４】
本願の請求項３にかかる発明は、請求項１にかかる発明において、最遅経路を案内する際、前記所定の移動手段および所定の異なる複数の移動手段の組み合わせ毎のそれぞれの最遅経路における出発地を出発すべき出発時刻と、所要時間と、所要料金のうちの何れか１つまたは複数とともに前記最遅経路を案内することを特徴とする。
【００２５】
本願の請求項４にかかる発明は、請求項１ないし請求項３の何れかにかかる発明において、前記最遅経路の探索においては、前記移動手段のうち、交通機関における始発の移動手段を用いた経路を最遅経路に加えて探索し、前記最遅経路とともに案内することを特徴とする。
【００２６】
本願の請求項５にかかる発明は、請求項１ないし請求項４の何れかにかかる発明において、表示手段に前記各最遅経路を表示して案内する際、各最遅経路のうち、他の最遅経路における出発地を出発すべき出発時刻よりも出発時刻が早く、且つ、当該他の最遅経路よりも所要料金が高い割高最遅経路がある場合、該割高最遅経路を表示しないことを特徴とする。
【００２７】
本願の請求項６にかかる発明は、請求項５にかかる発明において、前記割高最遅経路が存在した場合、前記経路探索手段は、前記割高最遅経路における移動手段または移動手段の組み合わせについて、前記他の最遅経路よりも所要料金が小さく、且つ、最も出発地を出発すべき出発時刻が遅い準最遅経路を探索し、割高最遅経路に代えて準最遅経路を案内することを特徴とする。
【００２８】
本願の請求項７にかかる発明は、請求項１ないし請求項４の何れかにかかる発明において、前記表示手段に表示された複数の最遅経路から所望の最遅経路を選択する手段と、通知設定手段と、を備え、前記選択された所望の最遅経路における出発地を出発すべき出発時刻に対して前記通知設定手段により設定された所定の時間前に、出発すべき旨の報知を行うことを特徴とする。
【００２９】
本願の請求項８にかかる発明は、請求項１ないし請求項４の何れかにかかる発明において、前記最遅経路の案内は、表示手段に各最遅経路の所要時間、所要料金の何れか一方または両方をグラフ化して表示して行うことを特徴とする。
【００３０】
本願の請求項９にかかる発明は、請求項１ないし請求項４の何れかにかかる発明において、前記最遅経路の案内は、表示手段の表示領域を複数の表示セルに区分し、各表示セルに各々の最遅経路所要時間、所要料金の何れか一方または両方をグラフ化して表示するリスト表示形式により行うことを特徴とする。
【００３１】
本願の請求項１０にかかる発明は、請求項１ないし請求項９の何れかにかかる発明において、最遅経路を表示して案内する際、前記各最遅経路におけるそれぞれの出発時刻の区切りを示す時刻情報を表示したタイムラインを表示し、前記タイムラインに表示した出発時刻の区切りにあわせて前記各最遅経路を表示し、タイムラインに表示したそれぞれの時間帯において利用可能な最遅経路を識別可能としたことを特徴とする。
【００３２】
本願の請求項１１にかかる発明は、請求項１ないし請求項１０の何れかにかかる発明において、前記表示手段にリスト表示され、または、グラフ化して表示された複数の最遅経路から所望の最遅経路が選択されると、該選択された最遅経路の詳細情報を前記表示手段に表示することを特徴とする。
【００３３】
本願の請求項１２にかかる発明は、請求項１ないし請求項１１の何れかにかかる発明において、最遅経路の探索にあたって、経路探索手段は前記所定の移動手段または所定の移動手段の組み合わせにおいて最遅経路と、最遅経路以外の所定数の候補経路を探索し、前記表示手段にリスト表示され、または、グラフ化して表示された複数の最遅経路から所望の最遅経路が選択されると、該選択された最遅経路における移動手段または移動手段の組み合わせにおいて前記経路探索手段により探索された最遅経路と候補経路とを、設定されたソート順に従ってソートし、最遅経路および候補経路のそれぞれにおける出発地を出発すべき出発時刻と、所要時間と、所要料金のうちの何れか１つまたは複数とともに案内することを特徴とする。
【００３４】
本願の請求項１３にかかる発明は、請求項１２にかかる発明において、前記最遅経路と候補経路における出発地を出発すべき出発時刻と、所要時間と、所要料金のうちの何れか１つを前記ソート順として設定するように構成したことを特徴とする。
【００３５】
本願の請求項１４にかかる発明は、請求項１ないし請求項４の何れかにかかる発明において、前記ナビゲーションシステムは、定期券を利用する経路区間の情報を記憶する記憶部を備え、前記最遅経路探索モードが選択され、且つ、定期券を考慮した探索が設定された場合、前記経路探索手段により探索された各最遅経路における所要料金を、前記定期券を利用する経路区間の情報に基づいて算出することを特徴とする。
【００３６】
本願の請求項１５にかかる発明は、請求項１ないし請求項４の何れかにかかる発明において、前記ナビゲーションシステムは、利用者と一緒に移動する人数を記憶する記憶部を備え、前記最遅経路探索モードが選択され、且つ、利用者と一緒に移動する人数を考慮した探索が設定された場合、前記利用者と一緒に移動する人数に基づいて、前記経路探索手段により探索された各最遅経路における所要料金から１人あたりの金額を算出し、前記１人あたりの金額または前記１人あたりの金額と前記所要料金とを案内することを特徴とする。
【００３７】
本願の請求項１６にかかる発明は、請求項１ないし請求項４の何れかにかかる発明において、前記ナビゲーションシステムは、最遅経路における所要料金の上限値を記憶する記憶部を備え、前記経路探索手段により探索された各最遅経路における所要料金が、前記記憶部に記憶された上限値より低い所要料金の最遅経路であって、出発地を出発すべき出発時刻の最も遅い最遅経路の出発時刻の所定時間前に、出発すべき旨の報知を行うことを特徴とする。
【００３８】
本願の請求項１７にかかる発明は、請求項１ないし請求項４の何れかにかかる発明において、前記ナビゲーションシステムは、最遅経路における所要料金の上限値を記憶する記憶部を備え、前記経路探索手段により探索された各最遅経路における所要料金が、前記記憶部に記憶された上限値より高い所要料金の最遅経路の案内を表示しないか、または、前記上限値より低い最遅経路他の最遅経路の案内と異なる表示態様で表示することを特徴とする。
【００３９】
本願の請求項１８にかかる発明は、請求項１７にかかる発明において、前記上限値を記憶する記憶部は、携帯端末装置に設けられた電子マネーをチャージする電子マネーチャージ部であって、該電子マネーチャージ部にチャージされている金額を前記上限値とすることを特徴とする。
【００４０】
本願の請求項１９にかかる発明は、請求項１ないし請求項４の何れかにかかる発明において、前記最遅経路を表示手段に表示して案内する際、所定の最遅経路または利用者が選択した特定の最遅経路における所要時間または所要料金を基準として、他の各最遅経路にける所要時間または所要料金を、前記基準の所要時間または所要料金との差分を算出して表示することを特徴とする。
【００４１】
本願の請求項２０にかかる発明は、請求項１ないし請求項４の何れかにかかる発明において、前記ナビゲーションシステムは、所定の地点を中心とした所定の範囲内に所在する滞在施設を検索する周辺検索機能を有し、前記最遅経路を探索するとともに、出発地を中心とした所定の範囲内に所在する滞在施設および滞在料金を検索し、前記所定の移動手段および所定の異なる複数の移動手段の組み合わせ毎に各最遅経路を表示して案内する際、前記滞在施設を示すアイコンとともに滞在料金を表示することを特徴とする。
【００４２】
また、本願の請求項２１にかかる発明は、
ネットワークを介して接続され、出発地と目的地とを含む経路探索条件を送信する端末装置に、前記出発地から目的地までの推奨経路を探索して、前記推奨経路と前記出発地を出発すべき出発時刻を案内する経路探索サーバにおいて、
前記経路探索サーバは、予め設定された所定の移動手段および予め設定された所定の異なる複数の移動手段の組み合わせ毎に、最も遅い時刻に前記出発地を出発して前記目的地に到達できる最遅経路を探索する最遅経路探索モードを有し、前記端末装置において最遅経路探索モードが選択された場合、前記経路探索手段は、前記所定の移動手段および所定の異なる複数の移動手段の組み合わせ毎に、出発地を出発する時刻が最も遅い最遅経路を探索し、前記端末装置において設定されたソート順に従って、前記所定の移動手段および所定の異なる複数の移動手段の組み合わせ毎の最遅経路をソートして前記端末装置の表示手段に表示して案内することを特徴とする。
【００４３】
本願の請求項２２にかかる発明は、請求項２１にかかる発明において、前記端末装置において設定されたソート順は、前記所定の移動手段および所定の異なる複数の移動手段の組み合わせ毎のそれぞれの最遅経路における出発地を出発すべき出発時刻と、所要時間と、所要料金のうちの何れか１つであり、前記経路探索サーバは、前記端末装置において設定されたソート順に従って、前記所定の移動手段および所定の異なる複数の移動手段の組み合わせ毎の最遅経路をソートして前記端末装置に案内することを特徴とする。
【００４４】
本願の請求項２３にかかる発明は、請求項２１にかかる発明において、最遅経路を案内する際、前記所定の移動手段および所定の異なる複数の移動手段の組み合わせ毎のそれぞれの最遅経路における出発地を出発すべき出発時刻と、所要時間と、所要料金のうちの何れか１つまたは複数とともに前記最遅経路を案内することを特徴とする。
【００４５】
本願の請求項２４にかかる発明は、請求項２１ないし請求項２３の何れかにかかる発明において、前記最遅経路の探索においては、前記移動手段のうち、交通機関における始発の移動手段を用いた経路を最遅経路の１つとして探索することを特徴とする。
【００４６】
本願の請求項２５にかかる発明は、請求項２１ないし請求項２４の何れかにかかる発明において、前記各最遅経路を案内する際、各最遅経路のうち、他の最遅経路における出発地を出発すべき出発時刻よりも出発時刻が早く、且つ、当該他の最遅経路よりも所要料金が高い割高最遅経路がある場合、前記経路探索手段は、前記割高最遅経路における移動手段または移動手段の組み合わせについて、前記他の最遅経路よりも所要料金が小さく、且つ、最も出発地を出発すべき出発時刻が遅い準最遅経路を探索し、割高最遅経路に代えて準最遅経路を案内することを特徴とする。
【００４７】
本願の請求項２６にかかる発明は、請求項２１ないし請求項２４の何れかにかかる発明において、前記端末装置は、表示手段に表示された複数の最遅経路から所望の最遅経路を選択する手段と、通知設定手段と、を備え、前記端末装置において、前記選択された所望の最遅経路における出発地を出発すべき出発時刻に対して前記通知設定手段により設定された所定の時間前に、出発すべき旨の報知を行うことを特徴とする。
【００４８】
本願の請求項２７にかかる発明は、請求項２１ないし請求項２６の何れかにかかる発明において、最遅経路の探索にあたって、経路探索手段は前記所定の移動手段または所定の移動手段の組み合わせにおいて最遅経路と、最遅経路以外の所定数の候補経路を探索し、前記端末装置により所望の最遅経路が選択されると、該選択された最遅経路における移動手段または移動手段の組み合わせにおいて前記経路探索手段により探索された最遅経路と候補経路とを、設定されたソート順に従ってソートし、最遅経路および候補経路のそれぞれにおける出発地を出発すべき出発時刻と、所要時間と、所要料金のうちの何れか１つまたは複数とともに案内することを特徴とする。
【００４９】
本願の請求項２８にかかる発明は、請求項２１ないし請求項２４の何れかにかかる発明において、前記端末装置は、定期券を利用する経路区間の情報を記憶する記憶部を備え、該端末装置において、前記最遅経路探索モードが選択され、且つ、定期券を考慮した探索が設定された場合、前記経路探索サーバは、前記経路探索手段により探索された各最遅経路における所要料金を、前記定期券を利用する経路区間の情報に基づいて算出することを特徴とする。
【００５０】
本願の請求項２９にかかる発明は、請求項２１ないし請求項２４の何れかにかかる発明において、前記端末装置は、利用者と一緒に移動する人数を記憶する記憶部を備え、該端末装置において、前記最遅経路探索モードが選択され、且つ、利用者と一緒に移動する人数が記憶された場合、前記経路探索サーバは、前記利用者と一緒に移動する人数に基づいて、前記経路探索手段により探索された各最遅経路における所要料金から１人あたりの金額を算出し、前記１人あたりの金額または前記１人あたりの金額と前記所要料金とを案内することを特徴とする。
【００５１】
本願の請求項３０にかかる発明は、請求項２１ないし請求項２４の何れかにかかる発明において、前記端末装置は、最遅経路における所要料金の上限値を記憶する記憶部を備え、該端末装置において前記上限値が設定された場合、前記経路探索サーバは、前記経路探索手段により探索された各最遅経路における所要料金が、前記端末装置の記憶部に記憶された上限値より低い所要料金の最遅経路であって、出発地を出発すべき出発時刻の最も遅い最遅経路の出発時刻の所定時間前に、出発すべき旨の報知を行うことを特徴とする。
【００５２】
本願の請求項３１にかかる発明は、請求項２１ないし請求項２４の何れかにかかる発明において、前記最遅経路を前記端末装置に案内する際、所定の最遅経路または利用者が選択した特定の最遅経路における所要時間または所要料金を基準として、他の各最遅経路にける所要時間または所要料金を、前記基準の所要時間または所要料金との差分を算出し、前記最遅経路の情報とともに前記端末装置に送信することを特徴とする。
【００５３】
本願の請求項３２にかかる発明は、請求項２１ないし請求項２４の何れかにかかる発明において、前記経路探索サーバは、所定の地点を中心とした所定の範囲内に所在する滞在施設を検索する周辺検索機能を有し、前記最遅経路を探索するとともに、出発地を中心とした所定の範囲内に所在する滞在施設および滞在料金を検索し、前記所定の移動手段および所定の異なる複数の移動手段の組み合わせ毎に各最遅経路を案内する際、前記滞在施設の滞在料金を案内することを特徴とする。
【００５４】
また、本願の請求項３３にかかる発明は、
設定した出発地から目的地までの推奨経路を探索する経路探索手段を備え、前記推奨経路と前記出発地を出発すべき出発時刻を案内する経路探索サーバにネットワークを介して接続される端末装置であって、前記経路探索サーバに出発地と目的地とを含む経路探索条件を送信する端末装置において、
前記経路探索サーバは、予め設定された所定の移動手段および予め設定された所定の異なる複数の移動手段の組み合わせ毎に、最も遅い時刻に前記出発地を出発して前記目的地に到達できる最遅経路を探索する最遅経路探索モードを有し、前記端末装置において最遅経路探索モードが選択された場合、前記経路探索手段は、前記所定の移動手段および所定の異なる複数の移動手段の組み合わせ毎に、出発地を出発する時刻が最も遅い最遅経路を探索して前記端末装置に該最遅経路の情報を送信し、
前記端末装置は、該端末装置において設定されたソート順に従って、前記所定の移動手段および所定の異なる複数の移動手段の組み合わせ毎の最遅経路をソートし、表示手段に表示して案内することを特徴とする。
【００５５】
本願の請求項３４にかかる発明は、請求項３３にかかる発明において、前記端末装置において、設定されたソート順は、前記所定の移動手段および所定の異なる複数の移動手段の組み合わせ毎のそれぞれの最遅経路における出発地を出発すべき出発時刻と、所要時間と、所要料金のうちの何れか１つであることを特徴とする。
【００５６】
本願の請求項３５にかかる発明は、請求項３３にかかる発明において、最遅経路を表示して案内する際、前記所定の移動手段および所定の異なる複数の移動手段の組み合わせ毎のそれぞれの最遅経路における出発地を出発すべき出発時刻と、所要時間と、所要料金のうちの何れか１つまたは複数とともに前記最遅経路を表示することを特徴とする。
【００５７】
本願の請求項３６にかかる発明は、請求項３３ないし請求項３５の何れかにかかる発明において、前記経路探索サーバは、最遅経路の探索においては、前記移動手段のうち、交通機関における始発の移動手段を用いた経路を最遅経路に加えて探索し、前記最遅経路とともに前記端末に送信し、前記端末装置は前記経路探索サーバから送信された交通機関における始発の移動手段を用いた経路を最遅経路に加えて前記表示手段に表示して案内することを特徴とする。
【００５８】
本願の請求項３７にかかる発明は、請求項３３ないし請求項３６の何れかにかかる発明において、前記表示手段に前記各最遅経路を表示して案内する際、各最遅経路のうち、他の最遅経路における出発地を出発すべき出発時刻よりも出発時刻が早く、且つ、当該他の最遅経路よりも所要料金が高い割高最遅経路がある場合、該割高最遅経路を表示しないことを特徴とする。
【００５９】
本願の請求項３８にかかる発明は、請求項３７にかかる発明において、前記各最遅経路を案内する際、各最遅経路のうち、他の最遅経路における出発地を出発すべき出発時刻よりも出発時刻が早く、且つ、当該他の最遅経路よりも所要料金が高い割高最遅経路がある場合、前記経路探索手段は、前記割高最遅経路における移動手段または移動手段の組み合わせについて、前記他の最遅経路よりも所要料金が小さく、且つ、最も出発地を出発すべき出発時刻が遅い準最遅経路を探索し、割高最遅経路に代えて準最遅経路の情報を前記端末装置に送信し、
前記端末装置は、最遅経路を表示して案内する際、前記割高最遅経路については、前記経路探索サーバから送信された準最遅経路を表示して案内することを特徴とする。
【００６０】
本願の請求項３９にかかる発明は、請求項３３ないし請求項３６の何れかにかかる発明において、前記経路探索サーバは、前記端末装置において選択された所望の最遅経路における出発地を出発すべき出発時刻に対して前記通知設定手段により設定された所定の時間前に、出発すべき旨の報知を行う経路探索サーバであって、前記端末装置は、前記表示手段に表示された複数の最遅経路から所望の最遅経路を選択する手段と、通知設定手段と、を備えたことを特徴とする。
【００６１】
本願の請求項４０にかかる発明は、請求項３３ないし請求項３６の何れかにかかる発明において、前記端末装置は、前記表示手段に各最遅経路を表示する際、各最遅経路の所要時間、所要料金の何れか一方または両方をグラフ化して表示することを特徴とする。
【００６２】
本願の請求項４１にかかる発明は、請求項３３ないし請求項３６の何れかにかかる発明において、前記最遅経路の案内は、表示手段の表示領域を複数の表示セルに区分し、各表示セルに各々の最遅経路所要時間、所要料金の何れか一方または両方をグラフ化して表示するリスト表示形式により行うことを特徴とする。
【００６３】
本願の請求項４２にかかる発明は、請求項３３ないし請求項３６の何れかにかかる発明において、最遅経路を表示して案内する際、前記各最遅経路におけるそれぞれの出発時刻の区切りを示す時刻情報を表示したタイムラインを表示し、前記タイムラインに表示した出発時刻の区切りにあわせて前記各最遅経路を表示し、タイムラインに表示したそれぞれの時間帯において利用可能な最遅経路を識別可能としたことを特徴とする。
【００６４】
本願の請求項４３にかかる発明は、請求項３３ないし請求項４２の何れかにかかる発明において、前記表示手段にリスト表示され、または、グラフ化して表示された複数の最遅経路から所望の最遅経路が選択されると、前記経路探索サーバは、該選択された最遅経路の詳細情報を前記端末装置に送信し、前記端末装置は前記経路探索サーバから送信された最遅経路の詳細情報を前記表示手段に表示することを特徴とする。
【００６５】
本願の請求項４４にかかる発明は、請求項３３ないし請求項４３の何れかにかかる発明において、最遅経路の探索にあたって、経路探索手段は移動手段または移動手段の組み合わせにおいて最遅経路と、最遅経路以外の所定数の候補経路を探索し、前記端末装置の表示手段にリスト表示され、または、グラフ化して表示された複数の最遅経路から所望の最遅経路が選択されると、該選択された最遅経路における移動手段または移動手段の組み合わせにおいて前記経路探索手段により探索された最遅経路の情報と候補経路の情報とを、前記端末装置に送信し、前記端末装置は、該端末装置において設定されたソート順に従ってソートし、最遅経路および候補経路のそれぞれにおける出発地を出発すべき出発時刻と、所要時間と、所要料金のうちの何れか１つまたは複数とともに表示することを特徴とする。
【００６６】
本願の請求項４５にかかる発明は、請求項３３ないし請求項３６の何れかにかかる発明において、最遅経路の探索にあたって、前記端末装置は、定期券を利用する経路区間の情報を記憶する記憶部を備え、該端末装置において、前記最遅経路探索モードが選択され、且つ、定期券を考慮した探索が設定された場合、前記経路探索サーバは、前記経路探索手段により探索された各最遅経路における所要料金を、前記定期券を利用する経路区間の情報に基づいて算出し、前記端末装置に最適経路の情報とともに前記算出した所要料金を送信し、前記端末装置は、前記経路探索サーバから取得した所要料金を最遅経路の情報とともに案内することを特徴とする。
【００６７】
本願の請求項４６にかかる発明は、請求項３１ないし請求項３６の何れかにかかる発明において、前記端末装置は、利用者と一緒に移動する人数を記憶する記憶部を備え、該端末装置において、前記最遅経路探索モードが選択され、且つ、利用者と一緒に移動する人数を考慮した探索が設定された場合、前記経路探索サーバは、前記利用者と一緒に移動する人数に基づいて、前記経路探索手段により探索された各最遅経路における所要料金から１人あたりの金額を算出し、前記１人あたりの金額または前記１人あたりの金額と前記所要料金とを、前記最遅経路の情報とともに前記端末装置に送信し、前記端末装置は、前記経路探索サーバから取得した１人あたりの金額または前記１人あたりの金額と前記所要料金とを最遅経路の情報とともに案内することを特徴とする。
【００６８】
本願の請求項４７にかかる発明は、請求項３３ないし請求項３６の何れかにかかる発明において、前記端末装置は、最遅経路における所要料金の上限値を記憶する記憶部を備え、前記端末装置において前記上限値が設定された場合、前記経路探索サーバから取得した各最遅経路のうち、最遅経路における所要料金が、前記設定された上限値より低い所要料金の最遅経路であって、出発地を出発すべき出発時刻の最も遅い最遅経路の出発時刻の所定時間前に、出発すべき旨の報知を行うことを特徴とする。
【００６９】
本願の請求項４８にかかる発明は、請求項３３ないし請求項３６の何れかにかかる発明において、前記端末装置は、最遅経路における所要料金の上限値を記憶する記憶部を備え、前記端末装置において前記上限値が設定された場合、前記経路探索サーバから取得した各最遅経路のうち、最遅経路における所要料金が、前記設定された上限値より高い所要料金の最遅経路の案内を表示しないか、または、前記上限値より低い最遅経路他の最遅経路の案内と異なる表示態様で表示することを特徴とする。
【００７０】
本願の請求項４９にかかる発明は、請求項４８にかかる発明において、前記上限値を記憶する記憶部は、携帯端末装置に設けられた電子マネーをチャージする電子マネーチャージ部であって、該電子マネーチャージ部にチャージされている金額を前記上限値とすることを特徴とする。
【００７１】
本願の請求項５０にかかる発明は、請求項３３ないし請求項３６の何れかにかかる発明において、前記最遅経路を表示手段に表示して案内する際、所定のまたは利用者が選択した特定の最遅経路における所要時間または所要料金を基準として、他の各最遅経路にける所要時間または所要料金を、前記基準の所要時間または所要料金との差分を算出して表示することを特徴とする。
【００７２】
本願の請求項５１にかかる発明は、請求項３３ないし請求項３６の何れかにかかる発明において、前記経路探索サーバは、所定の地点を中心とした所定の範囲内に所在する滞在施設を検索する周辺検索機能を有し、前記最遅経路を探索するとともに、出発地を中心とした所定の範囲内に所在する滞在施設および滞在料金を検索し、前記所定の移動手段および所定の異なる複数の移動手段の組み合わせ毎に各最遅経路の情報とともに前記滞在施設および滞在料金を前記端末装置に送信し、前記端末装置は前記経路探索サーバから取得した各最遅経路を表示して案内する際、前記滞在施設を示すアイコンとともに滞在料金を表示することを特徴とする。
【発明の効果】
【００７３】
本発明によれば、経路探索条件として「終電」を含む条件が設定された場合、徒歩経路と電車やバスなどの公共交通機関を利用した経路、更にタクシーを併用する場合の経路など、利用し得る各種の移動手段または移動手段の組み合わせ毎の推奨経路を探索し、それらの推奨経路を比較対照できるように提示することができるようになる。
すなわち、請求項１にかかる発明においては、ナビゲーションシステムは、予め設定された所定の移動手段および予め設定された所定の異なる複数の移動手段の組み合わせ毎に、最も遅い時刻に前記出発地を出発して前記目的地に到達できる最遅経路を探索する最遅経路探索モードを有し、前記最遅経路探索モードが選択された場合、前記経路探索手段は、前記所定の移動手段および所定の異なる複数の移動手段の組み合わせ毎に、出発地を出発する時刻が最も遅い最遅経路を探索し、設定されたソート順に従って、前記所定の移動手段および所定の異なる複数の移動手段の組み合わせ毎の最遅経路をソートし、表示手段に表示して案内する。
【００７４】
かかる構成によれば、利用者は、徒歩経路と電車やバスなどの公共交通機関を利用した経路、タクシーを利用する経路、更にタクシーを併用する場合の経路など、利用し得る各種の移動手段または移動手段の組み合わせ毎に、それぞれ出発時刻の最も遅い最遅経路を容易に対比検討することができるようになる。
【００７５】
請求項２にかかる発明においては、各最遅経路がそれぞれの最遅経路における出発地を出発すべき出発時刻と、所要時間と、所要料金のうちの何れか１つをソート順として案内される。かかる構成によれば、利用者は、徒歩経路と電車やバスなどの公共交通機関を利用した経路、タクシーを利用する経路、更にタクシーを併用する場合の経路など、利用し得る各種の移動手段または移動手段の組み合わせ毎に、それぞれ出発時刻の最も遅い最遅経路について、出発時刻と、所要時間と、所要料金などを容易に対比検討することができるようになる。
【００７６】
請求項３にかかる発明においては、各最遅経路がそれぞれの最遅経路における出発地を出発すべき出発時刻と、所要時間と、所要料金のうちの何れか１つとともに案内される。かかる構成によれば、利用者は、徒歩経路と電車やバスなどの公共交通機関を利用した経路、タクシーを利用する経路、更にタクシーを併用する場合の経路など、利用し得る各種の移動手段または移動手段の組み合わせ毎に、それぞれ出発時刻の最も遅い最遅経路について、出発時刻と、所要時間と、所要料金などを容易に対比検討することができるようになる。
【００７７】
請求項４にかかる発明においては、移動手段のうち、交通機関における始発の移動手段を用いた経路を最遅経路に加えて探索し、前記最遅経路とともに案内する。かかる構成によれば、最遅経路に加えて始発を利用する経路も探索されるから、公共交通機関を用いて出発地側を最も遅く出発して目的地に到着する推奨経路を探索して、他の移動手段の組み合わせによる推奨経路との比較対照範囲を拡げ、利用者の選択の幅を拡大することができる。また、利用者は、終電を用いた最遅経路と始発を用いた経路を容易に対比して、出発地側における滞在時間が最長になる推奨経路を知ることができ、自身の行動を決定することができるようになる。
【００７８】
請求項５にかかる発明においては、表示手段に前記各最遅経路を表示して案内する際、各最遅経路のうち、他の最遅経路における出発地を出発すべき出発時刻よりも出発時刻が早く、且つ、当該他の最遅経路よりも所要料金が高い割高最遅経路がある場合、該割高最遅経路を表示しない。かかる構成によれば、出発時刻が他の最遅経路よりも早いのに所要料金が高い割高最遅経路があった場合、その割高最遅経路は表示されることがないから案内された結果について利用者に不信感を与えることがなくなる。
【００７９】
請求項６にかかる発明においては、割高最遅経路が存在した場合、前記経路探索手段は、前記割高最遅経路における移動手段または移動手段の組み合わせについて、前記他の最遅経路よりも所要料金が小さく、且つ、最も出発地を出発すべき出発時刻が遅い準最遅経路を探索し、割高最遅経路に代えて準最遅経路を案内する。かかる構成によれば、割高最遅経路を案内しないようにした場合でも、当該割高最遅経路の代わりに準最遅経路が案内されるから、利用者の選択の幅を狭めることがなくなる。
【００８０】
請求項７にかかる発明においては、表示手段に表示された複数の最遅経路から所望の最遅経路を選択する手段と、通知設定手段と、を備え、前記選択された所望の最遅経路における出発地を出発すべき出発時刻に対して前記通知設定手段により設定された所定の時間前に、出発すべき旨の報知を行う。かかる構成によれば、利用者は所望の最遅経路について、出発時刻の所定時間前に出発地を出発すべき通知を受けることができ、不注意に当該経路が利用できなくなることを防止できるようになる。
【００８１】
請求項８にかかる発明においては、各最遅経路は、所要時間、所要料金の何れか一方または両方をグラフ化して表示されるから、利用者は視覚的、直感的に各最遅経路の所要時間や所要料金を比較することができるようになる。
【００８２】
請求項９にかかる発明においては、最遅経路の案内は、表示手段の表示領域を複数の表示セルに区分し、各表示セルに各々の最遅経路所要時間、所要料金の何れか一方または両方をグラフ化して表示するリスト表示形式により行う。かかる構成によれば、利用者は各最遅経路の情報を区分された表示セルにより容易に識別でき、また、視覚的、直感的に各最遅経路の所要時間や所要料金を比較することができるようになる。
【００８３】
請求項１０にかかる発明においては、最遅経路を表示して案内する際、前記各最遅経路におけるそれぞれの出発時刻の区切りを示す時刻情報を表示したタイムラインを表示し、前記タイムラインに表示した出発時刻の区切りにあわせて前記各最遅経路を表示し、タイムラインに表示したそれぞれの時間帯において利用可能な最遅経路を識別可能とした。かかる構成によれば、利用者はタイムラインに表示された出発時刻の区切りによって、容易のその時間帯において利用可能な最遅経路を識別することができるようになる。
【００８４】
請求項１１にかかる発明においては、表示手段にリスト表示され、または、グラフ化して表示された複数の最遅経路から所望の最遅経路が選択されると、該選択された最遅経路の詳細情報を前記表示手段に表示する。従って、利用者は、所望の最遅経路について、その詳細情報を確認することができるようになる。
【００８５】
請求項１２にかかる発明においては、最遅経路の探索にあたって、経路探索手段は前記所定の移動手段または所定の移動手段の組み合わせにおいて最遅経路と、最遅経路以外の所定数の候補経路を探索し、前記表示手段にリスト表示され、または、グラフ化して表示された複数の最遅経路から所望の最遅経路が選択されると、該選択された最遅経路における移動手段または移動手段の組み合わせにおいて前記経路探索手段により探索された最遅経路と候補経路とを、設定されたソート順に従ってソートし、最遅経路および候補経路のそれぞれにおける出発地を出発すべき出発時刻と、所要時間と、所要料金のうちの何れか１つまたは複数とともに案内する。かかる構成によれば、利用者は、選択した最遅経路について、最遅経路と他の複数の候補経路を知ることができるから、利用者の選択の幅を広げることができるようになる。
【００８６】
請求項１３にかかる発明においては、最遅経路と候補経路における出発地を出発すべき出発時刻と、所要時間と、所要料金のうちの何れか１つをソート順として案内される。従って、利用者は最遅経路と複数の候補経路の出発時刻と、所要時間と、所要料金の何れかを容易に比較対照できるようになる。
【００８７】
請求項１４にかかる発明においては、ナビゲーションシステムは、定期券を利用する経路区間の情報を記憶する記憶部を備え、前記最遅経路探索モードが選択され、且つ、定期券を考慮した探索が設定された場合、前記経路探索手段により探索された各最遅経路における所要料金を、前記定期券を利用する経路区間の情報に基づいて算出する。従って、利用者は定期券を利用した経路区間が最遅経路に含まれる場合には、定期券を利用した場合の所要料金を知ることができるようになる。
【００８８】
請求項１５にかかる発明においては、ナビゲーションシステムは、ナビゲーションシステムは、利用者と一緒に移動する人数を記憶する記憶部を備え、前記最遅経路探索モードが選択され、且つ、利用者と一緒に移動する人数を考慮した探索が設定された場合、前記利用者と一緒に移動する人数に基づいて、前記経路探索手段により探索された各最遅経路における所要料金から１人あたりの金額を算出し、前記１人あたりの金額または前記１人あたりの金額と前記所要料金とを案内する。従って、利用者はタクシーを利用した場合の最遅経路について、１人あたりの所要料金を知ることができるようになる。
【００８９】
請求項１６にかかる発明においては、ナビゲーションシステムは、最遅経路における所要料金の上限値を記憶する記憶部を備え、前記経路探索手段により探索された各最遅経路における所要料金が、前記記憶部に記憶された上限値より低い所要料金の最遅経路であって、出発地を出発すべき出発時刻の最も遅い最遅経路の出発時刻の所定時間前に、出発すべき旨の報知を行う。従って利用者は設定した所要料金の上限以下で最も滞在時間の長い（出発時刻の遅い）最遅経路を利用することができるようになる。
【００９０】
請求項１７にかかる発明においては、ナビゲーションシステムは、最遅経路における所要料金の上限値を記憶する記憶部を備え、前記経路探索手段により探索された各最遅経路における所要料金が、前記記憶部に記憶された上限値より高い所要料金の最遅経路の案内を表示しないか、または、前記上限値より低い最遅経路他の最遅経路の案内と異なる表示態様で表示する。従って利用者は、設定した上限値よりも低い所要料金の最遅経路のみを容易に認識することができるようになる。
【００９１】
請求項１８にかかる発明においては、上限値を記憶する記憶部は、携帯端末装置に設けられた電子マネーをチャージする電子マネーチャージ部であって、該電子マネーチャージ部にチャージされている金額を前記上限値とする。従って、利用者は、電子マネーで支払いが可能な最遅経路のみを知ることができるようになり、支払いができないという事態を回避することができるようになる。
【００９２】
請求項１９にかかる発明においては、最遅経路を表示手段に表示して案内する際、所定の最遅経路または利用者が選択した特定の最遅経路における所要時間または所要料金を基準として、他の各最遅経路にける所要時間または所要料金を、前記基準の所要時間または所要料金との差分を算出して表示する。従って、利用者は、基準とする最遅経路の所要時間または所要料金の差分により各最遅経路の比較を行うことができるようになる。
【００９３】
請求項２０にかかる発明においては、ナビゲーションシステムは、所定の地点を中心とした所定の範囲内に所在する滞在施設を検索する周辺検索機能を有し、前記最遅経路を探索するとともに、出発地を中心とした所定の範囲内に所在する滞在施設および滞在料金を検索し、前記所定の移動手段および所定の異なる複数の移動手段の組み合わせ毎に各最遅経路を表示して案内する際、前記滞在施設を示すアイコンとともに滞在料金を表示するかかる構成によれば、利用者は、タクシー利用の最遅経路の所要料金と滞在施設の料金とを比較してその何れかを選択することができるようになる。また、始発電車を利用した最遅経路を選択することもでき、利用者の選択の幅を広げることができるようになる。
【００９４】
請求項２１〜請求項３２にかかる発明によれば、本発明にかかるナビゲーションシステムを構成する経路探索サーバを提供することができ、請求項３３〜請求５１にかかる発明によれば、本発明にかかるナビゲーションシステムを構成する端末装置を提供することができるようになる。
【図面の簡単な説明】
【００９５】
【図１】本発明の実施例にかかるナビゲーションシステムの構成を示すシステム構成図である。
【図２】本発明の実施例にかかるナビゲーションシステムの詳細な構成を示すブロック図である。
【図３】本発明にかかる最遅経路探索要求の条件を設定する画面の一例を示す図である。
【図４】経路探索のための道路ネットワークデータの概念を説明するための模式図である。
【図５】交通機関を利用した経路探索のための交通ネットワークデータの概念を説明するための模式図である。
【図６】経路探索の結果である案内情報の詳細出力表示画面の一例を示す図である。
【図７】最遅経路を表示する表示画面の構成の一例を示す図である。
【図８】最遅経路を表示する表示画面の構成の他の一例を示す図である。
【図９】選択された最遅経路の詳細情報を表示する表示画面の一例を示す図である。
【図１０】定期券利用区間を考慮した最遅経路を表示する場合の表示画面の一例を示す図である。
【図１１】人数割りした所要料金を考慮した最遅経路を表示する場合の表示画面の一例を示す図である。
【図１２】各最遅経路の所要時間やり所要料金の差分を表示する表示画面の一例を示す図である。
【図１３】最遅経路にホテルなどの滞在施設の情報を付加して表示する表示画面の一例を示す図である。
【図１４】最遅経路にホテルなどの滞在施設の情報を付加して表示する表示画面の他の一例を示す図である。
【発明を実施するための形態】
【００９６】
以下、本発明の具体例を実施例及び図面を用いて詳細に説明する。但し、以下に示す実施例は、本発明の技術思想を具体化するためのナビゲーションシステムを例示するものであって、本発明をこのナビゲーションシステムに特定することを意図するものではなく、特許請求の範囲に含まれるその他の実施形態のナビゲーションシステムにも等しく適用し得るものである。
【実施例】
【００９７】
本発明の実施例にかかるナビゲーションシステム１０は、図１に示すように、携帯電話やＰＤＡ、ミュージックプレーヤーなどの携帯型端末を用いた端末装置２０と経路探索サーバ３０とがインターネットなどのネットワーク１２を介して接続される構成になっている。経路探索サーバ３０は、経路探索のための道路ネットワークのデータを蓄積したデータベース（ＤＢ１）、時刻表データに基づく交通ネットワークのデータを交通ネットワークデータとして蓄積したデータベース（ＤＢ２）、交通機関の各電車等の運行ダイヤに基づく時刻表や運賃を蓄積した時刻表・運賃データのデータベース（ＤＢ３）、表示用の地図データなどを蓄積したデータベース（ＤＢ４）を備えている。時刻表・運賃データは、ネットワークを介して情報配信サーバ５０から取得することができる。
【００９８】
図２は、図１に示すナビゲーションシステム１０の詳細な構成を示すブロック図である。本発明の実施例１にかかるナビゲーションシステム１０は、図２のブロック図に示すようにインターネットなどのネットワーク１２を介して通信する端末装置２０と、経路探索サーバ３０と、情報配信サーバ５０を備えて構成されている。
【００９９】
端末装置２０は、経路探索サーバ３０に出発地と目的地などの経路探索条件を設定して経路探索要求を送信し、経路探索サーバ３０は、経路探索条件に従って、道路ネットワークデータ３６、交通ネットワークデータ３７を参照して最適経路を探索し、その最適経路を案内経路データに編集して端末装置２０に配信する。
【０１００】
端末装置２０は、制御手段２１、通信手段２２、ＧＰＳ受信手段２３、探索要求手段２４、表示手段２５、経路記憶手段２６、経路ソート手段２７、設定条件記憶手段２８、操作・入力手段２９などを備えて構成されている。制御手段２１は、図示してはいないがＲＡＭ、ＲＯＭ、プロセッサを有するマイクロプロセッサであり、ＲＯＭに格納された制御プログラムにより各部の動作を制御する。通信手段２２はネットワーク１２を介して経路探索サーバ３０などと通信データを送受信するための通信インターフェースである。
【０１０１】
ＧＰＳ受信手段２３は、複数のＧＰＳ衛星からの信号を受信して現在位置を緯度・経度で測位する。探索要求手段２４は、本発明による終電探索の経路探索要求を起動するための手段であり、出発地および目的地と、所望の出発時刻や目的地に到着する所望時刻に関連する条件設定、例えば、自宅を目的地にして終電を利用して帰宅する指定場合に、現在位置を何時に出発すればよいかを知るために経路探索サーバ３０に推奨経路や出発時刻を含む案内情報を要求する。本発明においては、終電を用いる経路は出発地を最も遅い時刻に出発できる経路を意味するので、本発明においては、「最遅経路探索」ということとする。最遅経路探索が設定された場合には、探索要求手段２４により本発明による最遅経路探索要求アプリケーションを起動し、所定の探索条件を設定し、最遅経路探索モードによる経路探索を行わせる。
【０１０２】
なお、本実施例による最遅経路探索モードにおいては、終電や終バスを用いた最遅経路だけでなく、始発電車や始発バスなどの公共交通機関の始発を利用して目的地（例えば自宅）に向かう経路を最遅経路に加えて探索するものとする。このように始発を最遅経路探索に含める意味は、公共交通機関を用いて出発地側を最も遅く出発して目的地に到着する推奨経路を探索して、他の移動手段の組み合わせによる推奨経路との比較対照範囲を拡げ、利用者の選択の幅を拡大するためである。このようにすれば、終電を利用する場合と始発電車を利用する場合とを対比して、出発地側における滞在時間が最長になる推奨経路を知ることができるようになる。
【０１０３】
最遅経路探索要求アプリケーションが起動されると、設定条件記憶手段２８に記憶された経路探索条件を含む最遅経路探索要求を経路探索サーバ３０に送信する。設定条件記憶手段２８には、最遅経路探索のための経路探索条件が記憶される。経路探索の条件は、図３の設定画面に従って操作・入力手段２９から入力する。なお、図３に示す設定画面は最遅経路探索の詳細条件を設定するための画面であり、出発地、目的地は図示しない経路探索条件のメイン設定画面にて入力されるものとする。以下の説明では、出発地として上野駅周辺の飲食店が特定され、目的地として目黒郵便局近傍の利用者の自宅が設定されているものとする。メイン設定画面で出発地、目的地が設定され、本実施例による最遅経路探索が設定されると図３の詳細条件の設定画面に遷移する。
【０１０４】
図３に示す最遅経路探索条件設定画面は、経路探索の標準条件を設定するための標準設定欄３ａ、経路探索の結果として得られる複数の推奨経路を所望の順でソートするための経路ソート順設定欄３ｂ、徒歩経路に関する条件を設定するための徒歩設定欄３ｃ、使用する交通機関を設定するための使用路線設定欄３ｄ、定期券経路に関する設定のための定期券経路設定欄３ｅ、経路表示において人数割り料金表示を設定するための料金表示設定欄３ｆから構成される。
【０１０５】
標準設定欄３ａには、移動手段（乗り物（公共交通機関）と徒歩、タクシー）と、優先する移動手段（ここでは、タクシーを優先利用するか否か）とタクシーを利用する場合に経路探索において渋滞を考慮するか否か、有料道路を利用するか否かが設定できるように構成される。設定は各表示の左側に設けられた四角形のチェックボックス（選択ボックス）にチェックを入れることによって行われる。その他の設定欄においてもチェックボックスが表示されている項目については同様である。全経路区間をタクシー利用する経路は、出発時刻が定められた経路ではなく出発時刻は利用者が任意に選択できるが、このような経路を最遅経路とともに探索して案内すれば、所要時間や所要料金を、終電を用いた最遅経路と対比することができるようになる。
【０１０６】
経路ソート順設定欄３ｂにはソート項目を選択する選択ボックスが表示され、この選択ボックスをクリックすると表示されるサブウィンドウに表示される項目から所望の項目を選択して設定する。図３の例では、所要時間が短い順が選択されている。他の選択項目としては料金の安い順や乗換え回数の少ない順などの項目が選択可能である。
【０１０７】
徒歩設定欄３ｃには、徒歩速度を設定する選択ボックス２が表示され、の選択ボックスをクリックすると表示されるサブウィンドウに表示される項目から所望の項目を選択して設定する。図３の例では、徒歩速度として標準の速度（標準的な成人の歩行速度）を用いる設定が選択されている。他の選択項目としては、急ぎ足（標準より所定の割合だけ早い速度）、ゆっくり（標準より所定の割合だけ遅い速度）などの項目が選択可能である。また、経路探索において優先する徒歩経路の条件項目として、距離が短い、屋根が多い（雨天の際）、階段が少ない（高齢者、幼児帯同の際）を選択することができる。
【０１０８】
また、使用路線設定欄３ｄは、航空機、新幹線、有料特急、路線バスなど、利用してもよい路線を選択して設定できるように項目名とチェックボックスが表示され、定期件経路設定欄３ｅには、交通機関を用いた経路探索から定期券を利用する区間を考慮するか否か（探索の対象とするか否か）を設定するチェックボックスが表示される。この設定欄３ｅにおいて、定期券経路を登録する設定項目とチェックボックスが表示され、この項目を選択することにより定見券経路登録のサブ画面（図示せず）に遷移し、既に探索した通勤経路などの定期券を用いた経路区間を登録することができる。
【０１０９】
料金表示設定欄３ｆには、複数人でタクシー利用する場合などを考慮し人数割り料金を表示するか否かが設定できるようになっている。人数割り料金表示が選択されると、人数選択ボックスをクリックして人数の設定ができる。そしてタクシー利用区間の料金および合計運賃が人数割りで算出され、推奨経路を表示する際の料金表示が行われる。
【０１１０】
図３に示す最遅経路探索条件設定画面を用いて最遅経路探索要求が設定されると、ナビゲーションシステム１０において、経路探索手段３３は、設定された移動手段および設定された異なる複数の移動手段の組み合わせ毎に、出発地を出発する時刻が最の遅い最遅経路を探索する。この経路探索において、条件編集手段３８は、最遅経路探索条件として設定された詳細条件に従って移動手段（徒歩、電車、バス、タクシー）およびその組み合わせ毎の経路探索条件を編集し、編集された経路探索条件に従って経路探索手段３３は逐次前述の最適経路探索を行う。その際、経路探索手段３３は、始発電車や始発バスなど、始発の交通手段を用いた経路を探索し、その経路の情報も前記経路探索結果に加えて端末装置２０に案内する。
【０１１１】
次に、経路探索のための道路ネットワークデータ３６、交通ネットワークデータ３７と推奨経路や最適経路を探索する手順について説明する。歩行者ナビゲーションシステムやカーナビゲーションシステムにおける経路探索のための道路ネットワークデータ３６は以下のように構成されている。例えば、道路が図４に示すように道路Ａ、Ｂ、Ｃからなる場合、道路Ａ、Ｂ、Ｃの端点、交差点、屈曲点などをノードとし、各ノード間を結ぶ道路を有向性のリンクで表し、ノードデータ（ノードの緯度・経度）、リンクデータ（リンク番号）と各リンクのリンクコスト（リンクの距離またはリンクを走行するのに必要な所要時間）をデータとしたリンクコストデータとで構成される。
【０１１２】
すなわち、図４において、Ｎｎ（○印）、Ｎｍ（◎印）がノードを示し、Ｎｍ（◎印）は道路の交差点を示している。各ノード間を結ぶ有向性のリンクを矢印線（実線、点線、２点鎖線）で示している。リンクは、道路の上り、下りそれぞれの方向を向いたリンクが存在するが、図４では図示を簡略化するため矢印の向きのリンクのみを図示している。
【０１１３】
このような道路ネットワークのデータを経路探索用のデータベースとして経路探索を行う場合、出発地のノードから目的地のノードまで連結されたリンクをたどりそのリンクコストを累積し、累積リンクコストの最少になる経路を探索して案内する。すなわち、図４において出発地をノードＡＸ、目的地をノードＣＹとして経路探索を行う場合、ノードＡＸから道路Ａを走行して２つ目の交差点で右折して道路Ｃに入りノードＣＹにいたるリンクを順次たどりリンクコストを累積し、リンクコストの累積値が最少になる経路を探索して案内する。
【０１１４】
図４ではノードＡＸからノードＣＹに至る他の経路は図示されていないが、実際にはそのような経路が他にも存在するため、ノードＡＸからノードＣＹに至ることが可能な複数の経路を同様にして探索し、それらの経路のうちリンクコストが最少になる経路を最適経路として決定するものである。この手法は、例えば、ダイクストラ法と呼ばれる周知の手法によって行われる。
【０１１５】
これに対して、交通機関の経路探索のための交通ネットワークデータ３７は以下のように構成されている。例えば、図５に示すように交通路線Ａ、Ｂ、Ｃからなる場合、各交通路線Ａ、Ｂ、Ｃに設けられた各駅（航空機の路線においては各空港）をノードとし、各ノード間を結ぶ区間を有向性のリンクで表し、ノードデータ（緯度・経度）、リンクデータ（リンク番号）をネットワークデータとしている。図５において、Ｎｎ（○印）、Ｎｍ（◎印）がノードを示し、Ｎｍ（◎印）は交通路線の乗り継ぎ点（乗換え駅など）を示し、各ノード間を結ぶ有向性のリンクを矢印線（実線、点線、２点鎖線）で示している。リンクは、交通路線の上り、下りそれぞれの方向を向いたリンクが存在するが、図５では図示を簡略化するため矢印の向きのリンクのみを図示している。
【０１１６】
しかしながら、交通ネットワークは道路ネットワークと比べリンクコストが基本的に異なる。すなわち、道路ネットワークではリンクコストは固定的、静的なものであったが、交通ネットワークでは、図５に示すように交通路線を運行する列車や航空機（以下個々の列車や航空機などの各経路を交通手段と称する）が複数ある。各交通手段毎にあるノードを出発する時刻と次のノードに到着する時刻とが定まっており（時刻表データ、運行データで規定される）、かつ、個々の経路が必ずしも隣接するノードにリンクしない場合がある。例えば、急行と各駅停車の列車のような場合である。このような場合には同じ交通路線上に異なる複数のリンクが存在することになり、またノード間の所要時間が交通手段により異なる場合もある。
【０１１７】
図５に例示する交通ネットワークにおいては、交通路線Ａの同じリンクに複数の交通手段（経路）Ａａ〜Ａｃ・・・、交通路線Ｃに複数の交通手段（経路）Ｃａ〜Ｃｃ・・・が存在することになる。従って、交通機関の運行ネットワークは、単純な道路ネットワークと異なり、ノード、リンク、リンクコストの各データは交通手段（個々の航空機や列車などの経路）の総数に比例したデータ量になる。このため交通ネットワークのデータは道路ネットワークのデータ量に比べて膨大なデータ量になる。従って、それに応じて、経路探索に要する時間も多くの時間が必要になる。
【０１１８】
このような交通ネットワークデータを用いて、ある出発地からある目的地までの経路を探索するためには、出発地から目的地まで到達する際に使用（乗車）できる全ての交通手段を探索して探索条件に合致する交通手段を特定する必要がある。
【０１１９】
例えば、図５において、出発地を交通路線ＡのノードＡＸとしてある特定の出発時刻を指定して、交通路線ＣのノードＣＹを目的地とする経路探索を行う場合、交通路線Ａ上を運行する交通手段Ａａ〜Ａｃ・・・のうち出発時刻以降の全ての交通手段を順次出発時の経路として選択する。そして交通路線Ｃへの乗り継ぎノードへの到着時刻に基づいて、交通路線Ｃ上を運行する各交通手段Ｃａ〜Ｃｃ・・・のうち、乗り継ぎノードにおいて乗車可能な時刻以降の交通手段の全ての組み合わせを探索して各経路の所要時間や乗り換え回数などを累計して案内することになる。
【０１２０】
このようなネットワークデータを利用して経路探索サーバ３０は目的地の最寄り駅に到着する各終電の時刻をもとに、その終電に乗車または乗り継ぐことのできる電車を推奨経路として探索する。その際、現在位置の最寄り駅から目的地の最寄り駅に到着する各終電に乗車できる時刻で、現在位置の最寄り駅を最も遅い時刻に出発する電車を推奨経路として探索する。探索した電車の出発時刻にその出発駅に現在位置から徒歩で移動する所要時間を加えた時間が現在位置を出発すべき時刻になる。この出発時刻の所定時間前、例えば、１５分前、あるいは設定した時間前に出発時刻、推奨経路（出発駅や乗り継ぎ駅）などの案内情報が出力される。
【０１２１】
また、交通ネットワークデータの駅であるノードには属性情報として、そのノード（駅）がタクシー乗車に適するか否かを示す情報が含まれる。例えば、乗降客が多くタクシー車両の配車台数が多い駅はタクシー乗車に適する駅であり、乗降客が少なくタクシー車両お配車が少ない駅はタクシー乗車に適さない駅である。タクシーの利用を条件とした経路探索においてはタクシーの乗車に適する最寄り駅を経由する経路を優先すれば、タクシー利用距離は長くなるが、全体の経路所要時間は短くなるような経路を探索することができるようになる。
【０１２２】
図６は、前述した最遅経路探索条件に従って経路探索手段３３が探索した移動手段（徒歩、電車、バス、タクシー）およびその組み合わせ毎の最遅経路（出発地を出発する時刻が最の遅い経路）を示す図である。図６において、経路パターン１〜経路パターン５は、条件編集手段３８が編集した移動手段およびその組み合わせを示している。例えば、経路パターン１は「徒歩＋電車」、パターン２は「徒歩＋電車＋バス」、パターン３は「電車＋タクシー」、パターン４は「タクシー」をそれぞれ移動手段としたものであり、この移動手段の条件に基づいて経路探索手段３３が探索した最遅経路がそれぞれ示されている。パターン１〜４の最遅経路に加えて探索された始発の交通手段を用いた経路が「パターン始発」に「徒歩＋電車（始発）」を移動手段とした経路として示されている。図６において、経路データは最遅経路の詳細を示すデータであり、運賃はそれぞれの経路区間の運賃および合計の運賃である。このような詳細情報をテキスト情報で表示画面に表示して提供してもよい。
【０１２３】
例えば、「徒歩＋電車」を移動手段とするパターン１の最遅経路の詳細は、上野駅を００：１１に出発する電車（地下鉄日比谷線）に乗車し、中目黒（００：４５着）で東急東横線の電車（００：４９発）に乗換え、学芸大学駅（００：５２着）で下車し、徒歩で目的地である目黒郵便局前に０１：０３に到着する経路である。運賃は合計３５０円となる。定期券による経路区間を考慮する設定がなされ、この経路に定期券利用区間が含まれる場合、運賃はこの区間の運賃を考慮して算出される。
【０１２４】
他のパターンによる上記パターン１と同様に詳細（経路データ）と運賃が示されている。パターン３は、山手線の電車を利用する場合であり、外回りの電車を利用する場合と内回りの電車を利用する場合とでパターン３ａ、パターン３ｂの最遅経路が探索される。パターン４ではタクシーのみを利用する経路が探索される。タクシーのみを利用する経路においては、出発地の出発時刻は任意に選べるので一般的には時間的な制約はないが、このような経路を提示すれば、利用者は他の最遅経路と運賃比較が可能になり出発地における滞在時間（出発時刻）と運賃とのトレードオフで選択することができ、選択の幅が広がるので好適である。
【０１２５】
パターン始発では、始発電車を利用する最遅経路が探索される。最遅経路探索を行うのは、通常は終電時刻の時間帯での移動が予想される場合である。このようなケースでは意に反して終電に乗車できないこともある。始発電車を利用した経路を最遅経路として探索しておけば、終電に乗り遅れた場合に、深夜営業施設に滞在して始発電車を利用して目的地まで移動する選択をする場合に好都合である。また、周辺の滞在施設であるホテルや深夜営業の喫茶店、カラオケ店などを検索して最遅経路とともにその滞在料金を案内すれば、利用者はパターン３やパターン４に示されるタクシー利用の最遅経路の所要料金と比較することができ、タクシーを用いた最遅経路を利用するか、ホテルなどの滞在施設を利用するかを比較対照することができる。
【０１２６】
なお、図６に示す各パターンの最遅経路は上野駅が出発地となっているが、出発地から最寄り駅の上野駅まで徒歩移動が必要な場合には、出発地から上野駅までの徒歩経路区間が含まれることはいうまでもなく、また出発地を出発する時刻は上野駅までの徒歩経路区間の所要場合に基づいて算出される。例えば、パターン１においては出発地から日比谷線の上野駅までの徒歩経路区間とその所要時間が加えられ、バターン２、３等においては出発地から山手線上野駅までの徒歩経路区間とその所要時間が加えられる。また、最寄り駅を上野駅とせず、周辺の他の路線の駅を運行される終電を利用する経路が最遅経路になる場合は当該他の路線の駅を用いる経路が最遅経路として探索されることになる。
【０１２７】
図６に示す最遅経路が探索されると、ナビゲーションシステム１０は、最遅経路探索条件において設定されたソート順に従って、移動手段および異なる複数の移動手段の組み合わせ毎の最遅経路をソートし、表示手段２５にテキスト情報で表示する。最遅経路の表示にあたっては、利用者が比較対象し易いように考慮して、以下に説明する種々のバリエーションの表示画面構成を用意しておくことが好ましい。
【０１２８】
図７は、最遅経路を表示する表示画面の構成の一例を示す図である。図６に示すテキスト形式の表示では利用者が視覚的に相互の最遅経路を比較するのは困難である。このため、図７に示すようにバー（棒グラフ）で各最遅経路を比較対照が容易なように表示する。図７に示す表示画面には、比較基準タブ７１ａ、７１ｂ、タイムライン７２、経路選択ボックス７３、最遅経路７４ａ〜７４ｆ、比較基準量バー７５ａ、移動手段割合バー７６ａ、移動手段アイコン７７ａ、通知時間選択ボックス７８、通知設定ボタン７９などが表示される。
【０１２９】
比較基準タブ７１ａは各最遅経路の料金（所要料金）を表示させるタブ、比較基準タブ７１ｂは各最遅経路の所要時間を表示させるタブであり、このタブの選択により各最遅経路の料金（所要料金）と所要時間とを切換え表示することができる。最遅経路７４ａ〜７４ｅは、設定された移動手段および設定された異なる複数の移動手段の組み合わせ毎に探索された最遅経路である。図７の最遅経路７４ａ〜７４ｆは、それぞれ図６に示されたパターン１、パターン２、パターン３ａ、パターン３ｂ、パターン４、パターン始発に対応する経路である。図７では、図６のパターン３ｂに相当する最遅経路（７４ｄ）は省略されている。
【０１３０】
表示手段２５の表示領域は、複数の表示セルに区分され、最遅経路の７４ａ〜７４ｅは、各表示セルに表示される。最遅経路の７４ａ〜７４ｅの表示態様は後述するようなグラフ形式であり各表示セルに表示されるので、一般的なテキスト表示によるリスト表示と同様であり、利用者は最遅経路の全貌および各々を容易に一覧することができる。
【０１３１】
図７の例は、所要時間を表示させる比較基準タブ７１ｂが選択された場合を示しており、最遅経路７４ａには、最遅経路の所要時間を示すバー７５ａと、その最遅経路において利用する移動手段の利用割合を示すバー７６ａが表示され、利用する移動手段を示す移動手段アイコン７７ａが表示される。従って、利用者は、比較基準量バー７５ａの長さを他の最遅経路のバーの長さと比較することで、容易に各最遅経路７４ａ〜７４ｆの所要時間（所要時間を表示する比較基準タブ７１ｂが選択されている）の長短を視覚的に識別することができる。所要料金を比較するための比較基準タブ７１ａが選択されると、比較基準バー７５ａは各最遅経路の所要料金を示す長さで表示される。
【０１３２】
移動手段アイコン７７ａには、徒歩、電車、バス、タクシーを示すアイコンがそれぞれ用意されている。例えば、最遅経路７４ａの移動手段割合バー７７ａには、徒歩と電車を示す移動手段アイコン７７ａが表示されており、その利用割合はアイコン間隔で表現される。従って、利用者はこの移動手段アイコン７７ａとその表示間隔を観察することで、この経路が徒歩と電車組み合わせを利用する経路であることがわかり、また、その利用割合を直感的に理解することができる。
【０１３３】
最遅経路７４ａ〜７４ｆの左側には、その最遅経路における出発時刻の区切りを示す時刻情報をタイムライン７２が表示される。各最遅経路はタイムライン７２に表示された出発時刻の区切りにあわせて前記各最遅経路が表示される。従って、利用者は、タイムライン７２に表示された出発時刻の区切りを示す時間帯を認識し、その時間帯に応じて表示された最遅経路をみれば、その時間帯における利用可能な最遅経路を知ることができるようになる。例えば、図７の例は、最遅経路のソート順が出発地を出発すべき出発時刻の早い順である場合を示しており、０：００〜０：１１までの間は、最遅経路７４ａ（出発時刻が０：１１）が利用し得る経路であり、０：１１分を経過した後の０：１２〜０：３５までの間は、最遅経路７４ｂ（出発時刻が０：３５）が利用し得る経路であり、以下、順に、各最遅経路の出発時刻の区切り毎のタイムライン７２の表示に応じて各最遅経路の情報が表示される。タイムライン７２の各出発時刻の区切り部分には、チェックを入力することで該当する最遅経路を選択する経路選択ボックス７３が表示される。この経路選択ボックにチェックが入力され、選択された最遅経路については、通知設定ボタンを操作して通知設定がなされると、当該最遅経路における出発地を出発すべき出発時刻が通知される。
【０１３４】
図７の例では、最遅経路７４ａと最遅経路７４ｃの経路選択ボックスにチェックが入っており、それぞれの最遅経路における出発地を出発すべき出発時刻が通知される。通知タイミングは出発時刻であってもよいが、通知設定ボタン７９を操作して通知設定する際に、通知時間選択ボックス７８を用いて出発時刻の何分前に通知を受けるかを設定できる。図７では「５分前」が選択されているので、選択された最遅経路の出発時刻の５分前に、表示、アラーム、電子メール等により出発時刻の通知がおこなわれる。「１５分前」を選択して通知設定ボタン７９を操作すれば、１５分前に出発時刻の通知を受けることができるようになる。
【０１３５】
また、最遅経路７４ａ〜７４ｆの右側には、基本表示部分が設けられ、それぞれの最遅経路の基本情報である所要時間および所要料金がテキスト表示されるとともに、詳細表示を要求するための詳細表示要求ボタン「ｍｏｒｅ」が表示される。利用者は、所望の最遅経路に応じた詳細表示要求ボタンを操作して、その最遅経路の詳細情報を表示させることができる。
【０１３６】
このような最遅経路の案内表示において、各最遅経路のうち、他の最遅経路における出発地を出発すべき出発時刻よりも出発時刻が速く、且つ、当該他の最遅経路よりも所要料金が高い割高最遅経路がある場合、該割高最遅経路を表示しないようにすることもできる。割高最遅経路を表示しないように構成するのは以下の理由による。すなわち、本発明にかかる最遅経路の探索を利用するのは、終電近くであってできるだけ遅い時刻に出発地を出発して自宅などの目的地に到着できる経路を知りたい時であるから、各最遅経路の所要料金と出発時刻を総合的に勘案すると、出発時刻が他の最遅経路よりも早いのに所要料金が高い割高最遅経路があった場合、利用者がその割高最遅経路を使用するとは考えにくいからである。従ってこのような割高最遅経路を表示するとかえって利用者の不信感を招く恐れがあり表示しないほうが好ましい。
【０１３７】
このような割高最遅経路が探索された場合、経路探索手段は探索された交通手段及び／又は所定の交通手段の組み合わせ毎の各最遅経路のうち、他の最遅経路よりも出発時刻が早く、かつ、当該他の最遅経路よりも移動料金が高い割高最遅経路がある場合には、割高最遅経路における移動手段または移動手段の組み合わせについて、前記他の最遅経路よりも移動料金が安く、かつ、最も出発時間が遅い準最遅経路を探索し、割高最遅経路に代えて準最遅経路を案内する。このようにすれば、割高最遅経路を案内しないようにした場合でも、当該割高最遅経路の代わりに準最遅経路が案内されるから、利用者の選択の幅を狭めることがなくなる。
【０１３８】
図７に示す最遅経路の表示は、各最遅経路における移動手段をアイコンで表示するとともに、アイコンの表示間隔で各移動手段の利用割合を示すバー７６ａ（バーの長さは一定）で表示し、その背景を比較基準量バー７５ａとして比較基準タブ７１ａ、７１ｂの切換えにより選択された所要料金または所要時間を示す長さとして表示したものである。比較基準バー７５ａによる表示態様は、一般的なグラフ表示（棒グラフ）ということができるが、単純な棒グラフを用いて、各最遅経路の移動手段および移動手段の利用割合と、所要料金または所要時間を表すようにすることもできる。
【０１３９】
図８は、そのような表示態様の最遅経路表示画面の一例を示す図である。図８に示す表示画面には、比較基準タブ７１ａ、７１ｂ、タイムライン７２、最遅経路７４ａ〜７４ｆが表示される。タイムライン７２は図７２に表示された時間帯情報と同様であり、各最遅経路７４ａ〜７４ｆはそれぞれ出発時刻が属する時間帯に対応して上から出発時刻が早い順に表示される。また、各最遅経路７４ａ〜７４ｆは、選択された比較基準タブ７１ａ、７１ｂの何れかに相当する数値を表す棒グラフ形式で表示される。
【０１４０】
図８は、比較基準タブ７１ａの「料金」（所要料金）が選択された例を示しており、各最遅経路７４ａ〜７４ｆは、所要料金を示す棒グラフで表示される。表示されたグラフ上には、その最遅経路における移動手段を示す移動手段アイコンが表示さ、移動手段アイコンの表示間隔により、その最遅経路における移動手段の利用割合が表現される。この点は図７の表示態様と同様である。各棒グラフには、所要料金がテキストで表示され、利用所者は、どの最遅経路が最も料金が高いかを視覚的に容易に理解でき、また、各最遅経路７４ａ〜７４ｆは出発時刻の順に並んでいるから、実際に利用する経路の判断が容易になる。比較基準タブ７１ｂ（所要時間）が選択されると、比較基準が所要時間に切換えられ、各最遅経路７４ａ〜７４ｆは、所要料金を示す棒グラフで表示される。
【０１４１】
なお、図７、図８の表示態様による最遅経路の表示は、図６に示すテキスト表示された経路リストに重ねて、あるいはその近傍に、該経路リストを対応するように表示するようにしてもよい。図６あるいは図８に、図７の最遅経路の表示画面における詳細表示要求ボタン（図７、「ｍｏｒｅ」ボタン参照）のような経路選択手段を設け、該経路選択手段によって経路が選択されると、表示手段２５は、選択された経路の詳細を表示するように構成するとよい。
【０１４２】
図９は、選択された最遅経路の詳細情報を表示する表示画面の一例を示す図である。図９に示す例は、図７、図８における最遅経路７４ａの詳細情報を示している。この詳細表示画面８１には、上部のタブ部に、表示する最遅経路における移動手段が移動手段アイコンで表示される。表示された最遅経路の詳細は、上野駅を００：１１に出発する電車（地下鉄日比谷線）に乗車し、中目黒（００：４５着）で東急東横線の電車（００：４９発）に乗換え、学芸大学駅（００：５２着）で下車し、徒歩で目的地である目黒郵便局前に０１：０３に到着する経路である。
【０１４３】
最遅経路は、出発地から目的地まで順に、経路区間毎に発着時刻とその経路区間の移動手段が移動手段アイコンで表示される。交通機関を用いた経路区間においては駅名、路線名、乗車すべき方面が表示され、「時刻表」の文字項目８２をクリックすると該当駅における路線、方面の駅時刻表を表示することができる。
【０１４４】
徒歩経路区間については、徒歩経路区間の距離（図９の例では、学芸大学駅から目黒郵便局までの２００ｍ）が表示され、「ルート地図確認」の文字項目８３を選択すると、該当地点を含む地図と徒歩経路が表示される。「音声ナビ開始」の文字項目８４を選択すると、徒歩経路の音声案内が開始される。画面の下部８６には運賃（所要料金）の合計額、
各経路区間の運賃（所要料金）が表示される。なお、これらの表示に加え、この最遅経路を利用した場合のＣＯ２排出量を表示すると、利用者に環境影響への配慮を意識させることができる。「検索結果一覧へ」の文字項目８７が選択されると、図６または図７に示す最遅経路案内画面（一覧画面）に戻ることができる。
【０１４５】
また、画面下部の「定期券登録」ボタン８５をクリックすると図示しない登録画面に遷移し、利用者が使用している定期券の路線、区間（乗降駅）を登録することができる。登録情報は図示しない記憶手段のる所定の記憶部に記憶される。最遅経路の探索条件として定期券考慮を指定すると、定期券利用区間を考慮した最遅経路探索が行われ、所要料金として定期券利用区間の運賃を考慮した金額が算出される。
【０１４６】
定期券利用区間を考慮して最遅経路を探索した場合、各最遅経路の案内は、図１０に示す表示画面のようになる。図１０においては、図７に比べ、比較基準タブとして定期券考慮を示す「定期」タブ７１ｃが追加され、この「定期」タブ７１ｃを選択することにより、定期券利用区間を考慮した最遅経路の案内が表示される。図１０では、最遅経路７４ａにおいて移動手段が電車による経路区間全体が定期券利用区間であり、所要料金は定期券利用区間を考慮して算出された「０」が表示されている。
【０１４７】
また、利用者が、図３に示す最遅経路探索条件の設定画面において利用者と一緒に移動する人数を設定した場合、経路探索の結果として得られた各最遅経路のうち、移動手段としてタクシーを利用する最遅経路について、タクシー利用の経路区間の所要料金（タクシー運賃）を人数割りした１人あたりの金額が算出され、その１人あたりの金額が表示される。なお、１人あたりの金額とともに所要料金（人数割りでないトータル金額）を表示してもよいことはいうまでもない。設定した人数は、他の探索条件とともに図示しない記憶手段の所定の記憶部に記憶される。図１１は人数が設定された場合の最遅経路の案内画面である。図１１においては、図７に比べ、比較基準タブとして人数考慮を示す「人数割り」タブ７１ｄが追加され、この「人数割り」タブ７１ｄを選択することにより、人数を考慮した最遅経路の案内が表示される。図１１では最遅経路７４ｃ、７４ｄがタクシー利用の経路であり、所要料金は１人あたりの金額で表示された例を示している。
【０１４８】
最遅経路の探索にあたって、経路探索手段３３は、移動手段または移動手段の組み合わせにおいて最遅経路と、最遅経路以外の所定数の候補経路を探索し、前記表示手段にリスト表示され、またはグラフ化して表示された複数の最遅経路から所望の最遅経路が選択されると、当該選択された最遅経路以外に探索された所定数の候補経路の情報を最遅経路の情報とともに表示して案内する。表示される最遅経路と複数の候補経路の表示は、出発時刻と、所要時間と、所要料金のうちの何れか１つをソート順としてソートした結果でよいが、出発時刻をソート順とすることが好ましい。なぜなら、候補経路と最遅経路を対比する意味は、出発時刻が最遅でない経路との対比を意図していると考えられるからである。
【０１４９】
表示する情報には最遅経路の案内と同様に、各候補経路における所要時間、所要料金、出発時刻が含まれる。最遅経路とともにこのような候補経路を表示して案内すれば、利用者は最遅経路でない経路も知ることができ、利用者の選択の幅を広げることができる。候補経路の探索は、経路探索手段３３が最遅経路を探索する際に各最遅経路の探索とともに予め行って一時記憶しておいてもよく、最遅経路が選択され、その詳細表示が要求された時点で、経路探索手段３３が詳細表示のために選択された最遅経路に対応する候補経路を探索するようにしてもよい。
【０１５０】
なお、利用者が所要料金の上限値を設定できるようにし、各最遅経路における所要料金が設定した上限値より低い所要料金の最遅経路であって、出発地を出発すべき出発時刻の最も遅い最遅経路の出発時刻の所定時間前に、出発すべき旨の報知を行うようにすると、所要料金が上限値以下で出発時刻が最も遅い時刻の最遅経路を見過ごすことなく利用することができるようになる。上限値は操作・入力手段２９や図示しない入力画面などを用いて設定し、図示しない記憶手段の所定の記憶部に一時記憶される。
【０１５１】
この場合、表示手段に前記各最遅経路を表示して案内する際に、設定した上限値より高い所要料金の最遅経路の案内を表示しないか、または、設定した上限値より低い最遅経路を、他の最遅経路の案内と異なる表示態様、例えば、グレイアウト表示などの表示態様で表示するとよい。そのような表示を行えば、利用者は設定した所要料金の上限より低い料金の最遅経路を明確に識別できる。
【０１５２】
使用料金の上限値を設定する場合、最遅経路を表示する端末装置が携帯電話のような携帯端末装置であって、該携帯端末装置が電子マネーをチャージし、携帯電話から支払いが可能な場合、電子マネーのチャージ部にチャージされている金額を上限値とするとよい。このようにすれば、案内された最遅経路の移動手段における料金支払いを携帯端末装置で行う場合に、チャージされた金額以上の所要料金の最遅経路は表示されないので、支払い金額が不足するようなことかなくなる。
【０１５３】
図７、図８の表示態様は各最遅経路をグラフ化して表示する態様を説明した。こられの表示においては、各最遅経路の所要時間または所要料金の絶対値を表示したが、所定のまたは利用者が選択した特定の最遅経路における所要時間または所要料金を基準として、他の各最遅経路にける所要時間または所要料金を、前記基準の所要時間または所要料金との差額（差分）を算出して表示すると、各最遅経路の比較が容易になる。
【０１５４】
図１２は、差分表示により各最遅経路を案内する際の表示画面の例を示す図である。図１２に示す各最遅経路の表示は、図７に示す表示態様に従って表示されたものである。図１２においては、比較基準タブとして「比較」タブ７１ｆが設けられ、この比較タブ７１ｆが選択されると、所定のまたは利用者が選択した特定の最遅経路における所要時間または所要料金を基準として、他の各最遅経路にける所要時間または所要料金を、前記基準の所要時間または所要料金との差分を算出して表示する。
【０１５５】
図１２の例は、最遅経路７４ｃの所要料金を基準とし、他の最遅経路の所要料金が差分表示された例である。例えば、最遅経路７４ａには、棒グラフの上に最遅経路７４ｃの所要料金である「２２５０」との所要料金の差分である「−１，９００」が表示される。所要時間についても同様に表示することができる。差分の表示は棒グラフとともに表示するのが好ましい。このような表示態様によれば、利用者は各経路の所要料金や所要時間の相違をグラフにより相対的に認識でき、また、所要料金や所要時間の差分を数値として具体的に認識することができるようになる。
【０１５６】
先に述べたように、始発電車を利用した経路を最遅経路として探索しておけば、終電に乗り遅れた場合に、深夜営業施設に滞在して始発電車を利用して目的地まで移動する選択をする場合に好都合である。また、周辺の滞在施設であるホテルや深夜営業の喫茶店、カラオケ店などを検索して最遅経路とともにその滞在料金を案内すれば、タクシー利用の最遅経路の所要料金と滞在施設の料金とを比較してその何れかを選択することもできるようになる。
【０１５７】
その場合、経路探索手段３３は、最遅経路の探索に際して、出発地周辺の（所定の距離範囲内の）ホテルなどの滞在施設や深夜営業の喫茶店、カラオケ店などの深夜滞在可能な施設を検索し、その利用料金（滞在料金）を、タクシーを利用した最遅経路に関連付けて表示する。図１３、図１４は、滞在施設料金を表示する表示画面の一例を示す図である。これらの表示画面は、図７に示した表示態様で各最遅経路７４ａ〜７４ｆを表示したものである。
【０１５８】
図１３はタクシーを利用した最遅経路７４ｅの表示と対応付けて、ホテルを示す移動手段アイコン７７ｈ（ホテルは移動手段に代わる滞在手段であるから移動手段アイコン７７ａのうちの１つと見ることができる）を表示し、その滞在料金（図１３の例では￥７０００）を表示した例を示している。図１４は、各最遅経路の右側にテキストで表示される基本表示にホテルを示す移動手段アイコン７７ｈを表示した例を示している。この例ではホテルの滞在料金はテキスト表示されていないが、移動手段アイコン７７ｈをクリックして吹き出しで滞在料金が確認できるようにしてもよい。滞在施設とその利用料金の表示態様は、これに限られず、各最遅経路の表示とは独立して表示する態様とすることもできる。また、施設の利用料金は、同種施設の全国平均値、出発地周辺の地域の同種施設の平均値、施設検索においてヒットした同種施設の平均値、出発地に最も近い施設の料金などを用いることができる。
【０１５９】
また、図１３、図１４において、ホテルを示す移動手段アイコン７７ｈがクリックされたら、該当するホテルの予約ページにジャンプするようにＵＲＬ情報とリンクさせておく、あるいは、インターネット通信を自動的に能動化し、該当する滞在施設の予約システムに接続するようにしておくとより好都合である。また、表示する滞在施設については、出発地に最も近い滞在施設、あるいは、滞在料金が最も安い施設を優先することができる。更に、複数の候補滞在施設も所定数検索しておき、移動手段アイコン７７ｈが選択された場合に、それらの滞在施設候補の一覧を表示し、その一覧から利用者が指定した滞在施設の予約にリンクするように構成することも可能である。
【０１６０】
また、滞在施設の予約と同様に、図７や図８の移動手段アイコンのタクシーを示すアイコン等がクリックされ、タクシー移動が選択された場合にも、タクシーの配車予約にリンクできるようにするとよい。タクシーの予約においては、各タクシー会社の予約システムと連携して空車の状況に応じて出発地に最も早く配車できるタクシー会社の予約システムにリンクできるようにするとよい。
【０１６１】
なお、端末装置が携帯電話などの携帯端末装置である場合には、当該携帯端末装置のメールアドレスを経路探索サーバに登録しておき、最遅経路の案内や出発時刻の案内を経路探索サーバから登録した電子メール宛てに送信するように構成することもできる。
【０１６２】
以上、詳細に説明したように、本発明によれば、最遅経路探索において、種々の移動手段、移動手段の組み合わせ毎の最遅経路（最も遅く出発して目的地に到着できる経路）を探索して、比較対照することができ、利用者に種々の選択肢を提供し、最も利用者が適切と考える最遅経路を容易に決定することができるようになる。
【産業上の利用可能性】
【０１６３】
本発明は、サーバと端末装置あるいは携帯電話などの携帯端末装置を用いたシステム全判に適用することが可能である。
【符号の説明】
【０１６４】
１０・・・・ナビゲーションシステム
１２・・・・ネットワーク
２０・・・・端末装置
２１・・・・制御手段
２２・・・・通信手段
２３・・・・ＧＰＳ受信手段
２４・・・・探索要求手段
２５・・・・表示手段
２６・・・・経路記憶手段
２７・・・・経路ソート手段
２８・・・・設定条件記憶手段
２９・・・・操作・入力手段
３０・・・・経路探索サーバ
３１・・・・制御手段
３２・・・・案内データ編集手段
３３・・・・経路探索手段
３４・・・・通信手段
３５・・・・地図データ
３６・・・・道路ネットワークデータ
３７・・・・交通ネットワークデータ
３８・・・・経路探索条件編集手段
【図１】
2010210561.tif 000003
【図２】
2010210561.tif 000004
【図３】
2010210561.tif 000005
【図４】
2010210561.tif 000006
【図５】
2010210561.tif 000007
【図６】
2010210561.tif 000008
【図７】
2010210561.tif 000009
【図８】
2010210561.tif 000010
【図９】
2010210561.tif 000011
【図１０】
2010210561.tif 000012
【図１１】
2010210561.tif 000013
【図１２】
2010210561.tif 000014
【図１３】
2010210561.tif 000015
【図１４】
2010210561.tif 000016